(57)【特許請求の範囲】
【請求項１】
ワイヤレス通信の方法であって、
ワイヤレスデバイスの少なくとも１つのアンテナを使用して、第１の周波数帯域に関連する第１の通信動作を実行することと、ここにおいて、前記第１の通信動作は、前記ワイヤレスデバイスのロングタームエボリューション（ＬＴＥ）回路によって開始される、
次のＬＴＥ通信動作の前の、推定持続時間と、第２の通信動作の持続時間の比較に基づいて、前記ワイヤレスデバイスの前記少なくとも１つのアンテナを使用して、第２の周波数帯域に関連する前記第２の通信動作を実行することと、ここにおいて、前記第２の通信動作は、前記ワイヤレスデバイスのワイヤレスローカルエリアネットワーク（ＷＬＡＮ）回路によって開始され、前記第１の周波数帯域が、少なくとも部分的に前記第２の周波数帯域に重複する、
を備える方法。
【請求項２】
前記第２の通信動作が、前記第２の通信動作がクリティカルであるかどうかを示すクリティカリティ値に関連する、請求項１に記載の方法。
【請求項３】
前記クリティカリティ値が、前記第２の通信動作がクリティカルであることを示す、請求項２に記載の方法。
【請求項４】
第３の通信動作がクリティカルでないことを示す前記第３の通信動作に関連する第２のクリティカリティ値に基づいて、前記第２の周波数帯域に関連する前記第３の通信動作を実行することを控えることをさらに備える、請求項２に記載の方法。
【請求項５】
前記推定持続時間より大きい、前記第２の周波数帯域に関連する第４の通信動作の第２の持続時間に基づいて、前記少なくとも１つのアンテナを使用して、前記第１の周波数帯域に関連する第３の通信動作を実行することをさらに備える、請求項２に記載の方法。
【請求項６】
前記推定持続時間より大きい、前記第２の持続時間に基づいて、前記ＬＴＥ回路から前記ＷＬＡＮ回路に否定応答（ＮＡＣＫ）を送ることをさらに備える、請求項５に記載の方法。
【請求項７】
第３の通信動作がクリティカルであることを示す前記第３の通信動作に関連するクリティカリティ値、および前記推定持続時間より大きい、前記第３の通信動作の第２の持続時間に基づいて、前記少なくとも１つのアンテナを使用して、前記第２の周波数帯域に関連する前記第３の通信動作を実行することをさらに備える、請求項２に記載の方法。
【請求項８】
スイッチに、前記第２の通信動作を実行する前に前記ＷＬＡＮ回路を前記少なくとも１つのアンテナに結合させることをさらに備える、請求項１に記載の方法。
【請求項９】
前記第２の通信動作の実行中に前記ＬＴＥ回路から前記少なくとも１つのアンテナへのデータ送信を無効化することをさらに備える、請求項１に記載の方法。
【請求項１０】
前記第２の通信動作の完了の後、前記少なくとも１つのアンテナを使用して、前記第１の周波数帯域に関連する第３の通信動作を実行することをさらに備える、請求項１に記載の方法。
【請求項１１】
前記第２の周波数帯域が５ギガヘルツ（ＧＨｚ）チャネルを備える、請求項１に記載の方法。
【請求項１２】
前記少なくとも１つのアンテナを使用して、前記第２の周波数帯域に関連する周期的な通信動作を実行することをさらに備え、ここにおいて、前記周期的な通信動作は、複数回実行され、前記周期的な通信動作は、前記第２の通信動作を含む、請求項１に記載の方法。
【請求項１３】
前記周期的な通信動作に関連するクリティカリティ値は、前記周期的な通信動作がクリティカルであることを示す、請求項１２に記載の方法。
【請求項１４】
前記第２の通信動作の実行の後、および前記第２の周波数帯域に関連する第４の通信動作の実行の前に前記少なくとも１つのアンテナを使用して、前記第１の周波数帯域に関連する第３の通信動作を実行することをさらに備え、ここにおいて、前記周期的な通信動作は、前記第４の通信動作を備える、請求項１３に記載の方法。
【請求項１５】
前記第２の通信動作が、前記推定持続時間に等しいまたはそれより小さい前記持続時間に基づいて実行される、請求項１に記載の方法。
【請求項１６】
前記少なくとも１つのアンテナを使用して、前記第２の周波数帯域に関連する第３の通信動作を実行することをさらに備え、ここにおいて、周期的な通信動作は、前記第２の通信動作および前記第３の通信動作を備える、請求項１に記載の方法。
【請求項１７】
前記第２の通信動作および前記第３の通信動作は、同じ持続時間を有する、請求項１６に記載の方法。
【請求項１８】
装置であって、
少なくとも１つのアンテナと、
前記少なくとも１つのアンテナを使用して、第１の周波数帯域に関連する第１の通信動作の実行を開始するように構成されたロングタームエボリューション（ＬＴＥ）回路と、
次のＬＴＥ通信動作の前の、推定持続時間と、第２の通信動作の持続時間の比較に基づいて、前記少なくとも１つのアンテナを使用して、第２の周波数帯域に関連する前記第２の通信動作の実行を開始するように構成されたワイヤレスローカルエリアネットワーク（ＷＬＡＮ）回路と、ここにおいて、前記第１の周波数帯域が、少なくとも部分的に前記第２の周波数帯域に重複する、
を備える装置。
【請求項１９】
前記ＬＴＥ回路が、５ＧＨｚチャネルを介してワイヤレス通信を実行するように構成されたＬＴＥ−Ｕｎｌｉｃｅｎｓｅｄ（ＬＴＥ−Ｕ）回路を備える、請求項１８に記載の装置。
【請求項２０】
前記ＬＴＥ回路と前記ＷＬＡＮ回路との間の通信を可能にするように構成されたインターフェースをさらに備える、請求項１８に記載の装置。
【請求項２１】
前記少なくとも１つのアンテナを前記ＷＬＡＮ回路または前記ＬＴＥ回路に選択的に結合するように構成されたスイッチをさらに備える、請求項１８に記載の装置。
【請求項２２】
前記ＬＴＥ回路が、前記スイッチに、前記推定持続時間に等しいまたはそれより少ない前記持続時間に基づいて、前記少なくとも１つのアンテナを前記ＷＬＡＮ回路に結合させるように構成される、請求項２１に記載の装置。
【請求項２３】
前記ＬＴＥ回路が、前記スイッチに、前記第２の通信動作の完了に応答して、前記少なくとも１つのアンテナを前記ＬＴＥ回路に結合させるように構成される、請求項２１に記載の装置。
【請求項２４】
前記インターフェースが、共有メモリインターフェース、ワイヤレス共存インターフェース２（ＷＣＩ−２）、汎用入出力（ＧＰＩＯ）インターフェース、またはバスを備える、請求項２０に記載の装置。
【請求項２５】
装置であって、
少なくとも１つのアンテナを使用して、第１の周波数帯域に関連するロングタームエボリューション（ＬＴＥ）通信動作を実行するための手段と、
前記少なくとも１つのアンテナを使用して、第２の周波数帯域に関連するワイヤレスローカルエリアネットワーク（ＷＬＡＮ）通信動作を実行するための手段と、前記ＷＬＡＮ通信は、次のＬＴＥ通信動作の前の、推定持続時間と、前記ＷＬＡＮ通信動作の持続時間の比較に基づいて実行される、ここにおいて、前記第１の周波数帯域が、少なくとも部分的に前記第２の周波数帯域に重複する、
を備える装置。
【請求項２６】
前記第２の周波数帯域が５ギガヘルツ（ＧＨｚ）チャネルを備え、ここにおいて前記ＬＴＥ通信動作が、前記５ＧＨｚチャネルの少なくとも一部分を介してＬＴＥ−Ｕｎｌｉｃｅｎｓｅｄ（ＬＴＥ−Ｕ）動作を備える、請求項２５に記載の装置。
【請求項２７】
前記ＷＬＡＮ通信動作を実行するための前記手段と前記ＬＴＥ通信動作を実行するための前記手段との間でメッセージを共有するための手段をさらに備える、請求項２５に記載の装置。
【請求項２８】
命令を記憶する非一時的コンピュータ可読媒体であって、前記命令は、プロセッサによって実行されたとき、前記プロセッサに、
ワイヤレスデバイスの少なくとも１つのアンテナを使用して、第１の周波数帯域に関連する第１の通信動作の実行を開始することと、ここにおいて、前記第１の通信動作は、ロングタームエボリューション（ＬＴＥ）通信動作を備える、
次のＬＴＥ通信動作の前の、推定持続時間と、第２の通信動作の持続時間の比較に基づいて、ワイヤレスデバイス前記少なくとも１つのアンテナを使用して、第２の周波数帯域に関連する前記第２の通信動作の実行を開始することと、ここにおいて、前記第２の通信動作は、ワイヤレスローカルエリアネットワーク（ＷＬＡＮ）通信動作を備え、前記第１の周波数帯域が、少なくとも部分的に前記第２の周波数帯域に重複する、
非一時的コンピュータ可読媒体。
【請求項２９】
前記ＬＴＥ通信動作が、ＬＴＥ−Ｕｎｌｉｃｅｎｓｅｄ（ＬＴＥ−Ｕ）通信動作を備える、請求項２８に記載の非一時的コンピュータ可読媒体。
【請求項３０】
前記第２の通信動作が、前記推定持続時間に等しいまたはそれより小さい前記持続時間に基づいて実行される、請求項２８に記載の非一時的コンピュータ可読媒体。
【発明の詳細な説明】
【技術分野】
【０００１】
優先権の主張
[0001]本出願は、同一出願人が所有する、２０１５年７月２９日に出願され「ＳＨＡＲＩＮＧ  ＡＮ  ＡＮＴＥＮＮＡ  ＢＥＴＷＥＥＮ  ＬＴＥ−Ｕ  ＡＮＤ  ＷＬＡＮ」と題する米国仮特許出願第６２／１９８，６３２号、および２０１６年６月２８日に出願され「ＳＨＡＲＩＮＧ  ＡＮ  ＡＮＴＥＮＮＡ  ＢＥＴＷＥＥＮ  ＬＴＥ−Ｕ  ＡＮＤ  ＷＬＡＮ」と題する米国非仮特許出願第１５／１９５，９３８号からの優先権を主張し、前述の出願の各々の内容は、その全体が参照により本明細書に明確に組み込まれる。
【０００２】
[0002]本開示は、一般に、ワイヤレス通信に関し、詳細には、ワイヤレス通信用のアンテナを共有することに関する。
【背景技術】
【０００３】
[0003]技術の進歩は、より小さくより強力なコンピューティングデバイスをもたらしている。たとえば、モバイルフォンやスマートフォンなどのワイヤレス電話と、タブレットと、ラップトップコンピュータとを含む様々なポータブルパーソナルコンピューティングデバイスは、小型で軽量であり、ユーザによって容易に携帯される。これらのデバイスは、ワイヤレスネットワークを介して音声とデータパケットとを通信することができる。さらに、多くのそのようなデバイスは、デジタルスチルカメラ、デジタルビデオカメラ、デジタルレコーダ、およびオーディオファイルプレーヤなどの追加の機能を組み込む。また、そのようなデバイスは、インターネットにアクセスするために使用され得るウェブブラウザアプリケーションなどのソフトウェアアプリケーションを含む、実行可能命令を処理することができる。したがって、これらのデバイスは、かなりの計算能力とネットワーキング能力とを含むことができる。
【０００４】
[0004]ワイヤレスデバイスは、音声データ、ビデオデータ、パケットデータ、メッセージデータ、および他のデータなどのデータを交換するために、様々なワイヤレスネットワークを使用し得る。いくつかのワイヤレスデバイスは、複数の（multiple）ワイヤレスネットワークを介して通信し得る。たとえば、ワイヤレスデバイスは、アクセスポイント（ＡＰ）を含むワイヤレスローカルエリアネットワーク（ＷＬＡＮ）と通信し得る。ワイヤレスデバイスはまた、他のワイヤレス通信技術との通信をサポートし得る。たとえば、ＡＰは、ＷＬＡＮに加えて他のワイヤレス通信技術をサポートしてよく（may）、またはワイヤレスデバイスは、他のワイヤレス通信技術をサポートする別のデバイスと通信してよい。特定の例として、ワイヤレスデバイスは、ロングタームエボリューション（ＬＴＥ（登録商標））通信をサポートするデバイスと通信し得る。
【０００５】
[0005]ワイヤレスデバイスのサイズを小さくする（reduce）ために、ワイヤレスデバイスの少なくとも１つのアンテナが、相異なるワイヤレス通信技術を使用して通信する構成要素間で共有され得る。たとえば、少なくとも１つのアンテナが、ＬＴＥ通信とＷＬＡＮ通信との間で共有され得る。少なくとも１つのアンテナは、異なる状況において様々な方式に従って共有されてよい。例示のために、ワイヤレスデバイスのＷＬＡＮモードが有効化されておりワイヤレスデバイスのＬＴＥモードが無効化されているとき、少なくとも１つのアンテナはＷＬＡＮ通信のために確保され（reserved）得る。ＷＬＡＮモードが無効化されておりＬＴＥモードが有効化されているとき、少なくとも１つのアンテナはＬＴＥ通信のために確保され得る。
【０００６】
[0006]ＷＬＡＮモードが有効化されておりＬＴＥモードが有効化されているとき、競合が存在し得る。いくつかの競合（conflicts）を防止するために、ＬＴＥモードおよびＷＬＡＮモードが有効化されているがワイヤレスデバイスがＷＬＡＮを介したＡＰ（または、別のデバイス）との関連状態（associated state）にないとき、少なくとも１つのアンテナは、時分割方式を使用して共有され得る。時分割方式によれば、アンテナは、ＷＬＡＮ通信のために周期的に（たとえば、各５秒の期間のうちの１秒間）確保され得、ＬＴＥ通信のために周期的に（たとえば、各５秒の期間のうちの４秒間）確保され得る。しかしながら、いくつかのＷＬＡＮアプリケーションは、ワイヤレスデバイスがＡＰとの関連状態にないときに少なくとも１つのアンテナを使用して動作を実行することがある（may）。たとえば、ワイヤレスデバイスは、好適ネットワークオフロード（ＰＮＯ：preferred network offload）走査、アウトオブサービス（ＯＯＳ：out of service）走査、機会主義的（opportunistic）ローミング走査、「常時オン」測距動作（ranging operations）、「位置特定」走査もしくは時間制約を有する他の走査、近隣認識ネットワーク（ＮＡＮ：neighbor-aware network）発見走査、ＮＡＮビーコニング動作、および／またはステーション間マルチチャネル同時処理（ＳＴＡ＋ＳＴＡ  ＭＣＣ：station-to-station multichannel concurrency）動作を実行する、１つまたは複数のアプリケーションを実行することがある。そのような動作は様々な時間において実行されることがあり、そのため、動作は時分割方式に適合しない（incompatible with）。動作の実行に失敗することは、１つまたは複数のアプリケーションを失敗させることがあるかまたはエラー状態に入らせることがある。
【発明の概要】
【０００７】
[0007]本開示は、時分割方式を使用することなくワイヤレスデバイスの少なくとも１つのアンテナを共有するために共通周波数帯域を介して通信し得る、ワイヤレスデバイスのＷＬＡＮ回路とワイヤレスデバイスのＬＴＥ回路とを可能にするシステムと、装置と、方法と、コンピュータ可読媒体とを説明する。ＷＬＡＮ回路は、５ギガヘルツ（５ＧＨｚ）チャネル（たとえば、共通周波数帯域）を介してワイヤレス通信を実行するように構成され得、ＬＴＥ回路は、５ＧＨｚチャネル（たとえば、共通周波数帯域）を介してワイヤレス通信を実行するように構成されたＬＴＥ−Ｕｎｌｉｃｅｎｓｅｄ（ＬＴＥ−Ｕ）回路を含み得る。ＷＬＡＮ回路およびＬＴＥ回路は、少なくとも１つのアンテナの制御を求める要求（requests for）を示すために、または少なくとも１つのアンテナの制御の解放を示すために、要求メッセージと応答メッセージとを使用して通信し得る。本明細書でさらに説明するように、メッセージは、少なくとも１つのアンテナの制御を要求するアプリケーションの優先順位に基づいて、または少なくとも１つのアンテナを使用して実行されるべき動作の推定持続時間に基づいて、少なくとも１つのアンテナの共有を可能にし得る。したがって、本開示は、時分割方式を使用するよりも大きいフレキシビリティを伴って、少なくとも１つのアンテナを共有することを可能にし得る。少なくとも１つのアンテナを共有することのより大きいフレキシビリティは、ワイヤレスデバイスがＡＰとの関連状態にないときでさえＷＬＡＮ通信などの動作をアプリケーションが適時に（in time）実行することを可能にして、失敗またはエラーを回避し得る。他の状況における（たとえば、ＷＬＡＮ回路もしくはＬＴＥ回路が無効化されているときの、またはＷＬＡＮ回路が有効化されておりワイヤレスデバイスがＷＬＡＮを介した別のワイヤレスデバイスとの関連状態にあるときの）少なくとも１つのアンテナの共有は、本開示の範囲外である。したがって、ワイヤレスデバイスは、ＰＮＯ走査、機会主義的ローミング走査、「常時オン」測距動作、位置特定走査もしくは時間制約を有する他の走査、ＮＡＮ発見走査、ＮＡＮビーコニング動作、または他の動作を実行するＷＬＡＮアプリケーション、ならびにＬＴＥ−Ｕネットワークを介して通信するアプリケーションをサポートし得る。
【０００８】
[0008]さらに例示のために、ＷＬＡＮ回路およびＬＴＥ回路が有効化されているがワイヤレスデバイスがＷＬＡＮ通信を介した別のデバイスとの関連状態にないとき、ＬＴＥ回路は、少なくとも１つのアンテナの制御を有してよい。別のデバイスとの関連状態にあるものとして説明されるが、ワイヤレスデバイスはまた（または、代替として）、非限定的な例として、確立されたピアツーピア接続を介するかまたはビーコニングプロセスを介するような異なるタイプの接続を介して、別のデバイスに通信可能に接続されてよい。ＬＴＥ回路は、少なくとも１つのアンテナを使用してＬＴＥ−Ｕネットワークを介して通信を実行し得る。アプリケーションがワイヤレス通信を実行するように要求しているとＷＬＡＮ回路が決定すると、ＷＬＡＮ回路は、少なくとも１つのアンテナの制御を求める要求を送る。ＬＴＥ回路は、要求を受信し、要求の中に含まれるデータに基づいて要求を許可すべきかどうかを決定する。データは、要求に対応する動作がクリティカルであるかどうかを示すクリティカリティビット（criticality bit）を含み得、データは、動作の実行の持続時間を示し得る。クリティカリティビットが、（動作がクリティカルであることを示す）第１の値を有する場合、ＬＴＥ回路は、応答（たとえば、肯定応答（ＡＣＫ））をＷＬＡＮ回路へ送ることによって、および少なくとも１つのアンテナの制御を解放することによって、要求を許可し得る。ＷＬＡＮ回路は、動作を実行するために少なくとも１つのアンテナの制御を取り得、動作の実行が完了した後、ＷＬＡＮ回路は、少なくとも１つのアンテナの制御をＬＴＥ回路へ戻して解放し得る。
【０００９】
[0009]クリティカリティビットが、（動作がクリティカルでないことを示す）第２の値を有する場合、ＬＴＥ回路は、要求を許可すべきかどうかを持続時間に基づいて決定し得る。たとえば、持続時間がＬＴＥ回路における次の動作の前の時間期間を上回らない場合、ＬＴＥ回路は、応答（たとえば、ＡＣＫ）をＷＬＡＮ回路へ送ってよく、少なくとも１つのアンテナの制御を解放してよい。持続時間がその時間期間を上回る場合、ＬＴＥ回路は、少なくとも１つのアンテナの制御を保持してよく、応答（たとえば、否定応答（ＮＡＣＫ））をＷＬＡＮ回路へ送ってよい。ＮＡＣＫに基づいて、ＷＬＡＮ回路は、少なくとも１つのアンテナを再要求し得る。いくつかの実装形態では、ＷＬＡＮ回路は、要求がＬＴＥ回路によって許可されることを確実にするために、第２の要求においてクリティカリティビットを第１の値に設定し得る。
【００１０】
[0010]特定の態様では、ワイヤレス通信の方法は、ロングタームエボリューション（ＬＴＥ）回路がワイヤレスデバイスの少なくとも１つのアンテナの制御を有する間（while the LTE circuitry has control）、ワイヤレスデバイスのワイヤレスローカルエリアネットワーク（ＷＬＡＮ）回路からワイヤレスデバイスのＬＴＥ回路において（at）、少なくとも１つのアンテナの制御を求める要求を受信することを含む。少なくとも１つのアンテナを使用するＬＴＥ回路による通信は、第１の周波数帯域に対応し、少なくとも１つのアンテナを使用するＷＬＡＮ回路による通信は、第２の周波数帯域に対応し、第１の周波数帯域は、少なくとも部分的に第２の周波数帯域に重複する（overlaps）。方法は、要求の中に含まれるデータに基づいて、ＬＴＥ回路からＷＬＡＮ回路へ応答を送ることをさらに含む。
【００１１】
[0011]特定の態様では、装置は、少なくとも１つのアンテナを含む。装置は、少なくとも１つのアンテナに結合されるように構成され第１の周波数帯域を介して通信するように構成されたロングタームエボリューション（ＬＴＥ）回路を含む。装置は、少なくとも１つのアンテナに結合されるように構成され第２の周波数帯域を介して通信するためのワイヤレスローカルエリアネットワーク（ＷＬＡＮ）回路を含む。第１の周波数帯域は、少なくとも部分的に第２の周波数帯域に重複する。装置は、ＬＴＥ回路とＷＬＡＮ回路との間の通信を可能にするように構成されたインターフェースをさらに含み、ここで、通信は、ＷＬＡＮ回路からの少なくとも１つのアンテナの制御を求める要求の中に含まれるデータに基づく、ＬＴＥ回路からＷＬＡＮ回路への応答を含む。
【００１２】
[0012]特定の態様では、装置は、少なくとも１つのアンテナを介し第１の周波数帯域を介してロングタームエボリューション（ＬＴＥ）通信を実行するための手段を含む。装置は、少なくとも１つのアンテナを介し第２の周波数帯域を介してワイヤレスローカルエリアネットワーク（ＷＬＡＮ）通信を実行するための手段を含む。第１の周波数帯域は、少なくとも部分的に第２の周波数帯域に重複する。装置は、ＬＴＥ通信を実行するための手段が少なくとも１つのアンテナの制御を有する間、ＷＬＡＮ通信を実行するための手段から受信された要求の中に含まれるデータに基づいて、ＷＬＡＮ通信を実行するための手段へ応答を送るための手段をさらに含む。要求は、少なくとも１つのアンテナの制御を求めるものである。
【００１３】
[0013]別の特定の態様では、非一時的コンピュータ可読媒体は命令を記憶し、命令は、プロセッサによって実行されたとき、プロセッサに、ロングタームエボリューション（ＬＴＥ）回路がワイヤレスデバイスの少なくとも１つのアンテナの制御を有する間、ワイヤレスデバイスのワイヤレスローカルエリアネットワーク（ＷＬＡＮ）回路からワイヤレスデバイスのＬＴＥ回路において、少なくとも１つのアンテナの制御を求める要求を受信させる。少なくとも１つのアンテナを使用するＬＴＥ回路による通信は、第１の周波数帯域に対応し、少なくとも１つのアンテナを使用するＷＬＡＮ回路による通信は、第２の周波数帯域に対応し、第１の周波数帯域は、少なくとも部分的に第２の周波数帯域に重複する。命令は、さらに、プロセッサに、要求の中に含まれるデータに基づいて、ＬＴＥ回路からＷＬＡＮ回路へ応答を送らせる。
【００１４】
[0014]開示する態様のうちの少なくとも１つによってもたらされる１つの具体的な利点は、時分割方式を使用するよりも大きいフレキシビリティを伴う少なくとも１つのアンテナの共有である。共有のこの方法は、クリティカル動作が実行されるべきとき、ＷＬＡＮ回路が少なくとも１つのアンテナの制御を要求することを可能にする。たとえば、ＷＬＡＮ回路は、（クリティカリティビットが第１の値を有する）要求をＬＴＥ回路へ送り得、ＬＴＥ回路は、少なくとも１つのアンテナの制御をＷＬＡＮ回路に解放し得る。したがって、クリティカル動作が適時に実行されて失敗またはエラーを回避することができる。追加として、クリティカリティビットが第２の値を有する場合、ＬＴＥ回路は、少なくとも１つのアンテナを使用して実行されるべき動作の持続時間に基づいて、要求を許可すべきかどうかを決定する。このようにして、ＬＴＥ回路は、ＬＴＥ回路が少なくとも１つのアンテナを介していかなる（any）動作も実行していない期間中、少なくとも１つのアンテナの制御をＷＬＡＮ回路に解放し得る。したがって、少なくとも１つのアンテナは、ＬＴＥ回路における不活動（inactively）の期間中にＷＬＡＮ回路が制御を有することを可能にすることによって、より効率的に共有され得る。
【００１５】
[0015]本開示の他の態様、利点、および特徴は、以下のセクション、すなわち、図面の簡単な説明と、発明を実施するための形態と、特許請求の範囲とを含む本出願全体の検討の後に明らかになるであろう。
【図面の簡単な説明】
【００１６】
【図１】[0016]ワイヤレスローカルエリアネットワーク（ＷＬＡＮ）回路とロングタームエボリューション（ＬＴＥ）回路との間でワイヤレスデバイスの少なくとも１つのアンテナを共有することをサポートするシステムの例示的な態様のブロック図。
【図２】[0017]ＷＬＡＮ回路とＬＴＥ回路との間で少なくとも１つのアンテナを共有する方法の第１の態様のラダー図（ladder diagram）。
【図３】[0018]ＷＬＡＮ回路とＬＴＥ回路との間で少なくとも１つのアンテナを共有する方法の第２の態様のラダー図。
【図４】[0019]ＷＬＡＮ回路とＬＴＥ回路との間で少なくとも１つのアンテナを共有する方法の第３の態様のラダー図。
【図５】[0020]ＷＬＡＮ回路とＬＴＥ回路との間で少なくとも１つのアンテナを共有する方法の第４の態様のラダー図。
【図６】[0021]ＷＬＡＮ回路とＬＴＥ回路との間で少なくとも１つのアンテナを共有する方法の第５の態様のラダー図。
【図７】[0022]ＷＬＡＮ回路とＬＴＥ回路との間で少なくとも１つのアンテナが共有されるワイヤレス通信の方法を示すフローチャート。
【図８】[0023]本明細書で開示する１つまたは複数の方法、システム、装置、および／またはコンピュータ可読媒体の様々な態様をサポートするように動作可能なワイヤレスデバイスのブロック図。
【発明を実施するための形態】
【００１７】
[0024]本開示の特定の態様が、図面を参照しながら以下で説明される。説明では、共通の特徴は、図面全体にわたって共通の参照番号によって指定される。本明細書で使用する様々な用語は、特定の実装形態を説明するために使用されるにすぎず、限定的であることは意図されない。たとえば、単数形「ａ」、「ａｎ」、および「ｔｈｅ」は、文脈が別段に明確に示さない限り、複数形を同様に含むものとする。「備える（comprises）」および「備えること（comprising）」という用語が「含む（includes）」または「含むこと（including）」と互換的に使用され得ることが、さらに理解され得る。追加として、「ここにおいて（wherein）」という用語が「ここで（where）」と互換的に使用され得ることが理解されよう。本明細書で使用する「例示的」は、例、実装形態、および／または態様を示すことがあり、限定的として、または選好もしくは好適な実装形態を示すものとして解釈されるべきでない。本明細書で使用するとき、構造、構成要素、動作などの要素を修飾するために使用される序数語（たとえば、「第１の」、「第２の」、「第３の」など）は、それ自体、別の要素に対するその要素の優先順位または順序を示しておらず、（序数語の使用を別にすれば）むしろ同じ名前を有する別の要素からその要素を区別するにすぎない。
【００１８】
[0025]本開示の特定の態様が、図面を参照しながら以下で説明される。説明では、共通の特徴は、図面全体にわたって共通の参照番号によって指定される。
【００１９】
[0026]本開示は、ワイヤレスデバイスのワイヤレスローカルエリアネットワーク（ＷＬＡＮ）回路とワイヤレスデバイスのロングタームエボリューション（ＬＴＥ）回路との間での少なくとも１つのアンテナの共有を説明する。ワイヤレスデバイスのＷＬＡＮモードおよびワイヤレスデバイスのＬＴＥモードが有効化されており、ワイヤレスデバイスがＷＬＡＮ回路を介した別のワイヤレスデバイスとの関連状態にないとき、ＬＴＥ回路は、少なくとも１つのアンテナの制御を有してよい。別のデバイスに関連付けられているものとして説明されるが、そのような説明は便宜のためであり限定的でない。たとえば、ワイヤレスデバイスは、他のタイプの接続を使用して別のデバイスに通信可能に接続されてよい。一例として、ワイヤレスデバイスは、別のデバイスとピアツーピア接続を確立していてよい。別の例として、ワイヤレスデバイスは、通信のための利用可能性（availability）を（たとえば、ビーコンメッセージまたは他のメッセージを介して）他のデバイスに告知してよい。通信のための利用可能性を告知することによって、ワイヤレスデバイスは、別のデバイスとの接続をもたらし得るビーコニングプロセスを始める。他の実装形態では、他のタイプの接続（たとえば、他のネットワークトポロジーに関連する接続）が確立されてよい。したがって、便宜上、「関連状態」とは、２つのデバイス間の任意のタイプの通信接続を指すことがある。
【００２０】
[0027]ＷＬＡＮ回路に関連するアプリケーションが少なくとも１つのアンテナの使用を要求するとき、ＷＬＡＮ回路はＬＴＥ回路へ要求を送り得る。要求は、クリティカリティビットを含み得、少なくとも１つのアンテナを使用して実行されるべき動作の持続時間を示し得る。ＬＴＥ回路は、クリティカリティビットおよび持続時間に基づいて、少なくとも１つのアンテナの制御を解放（たとえば、要求を許可）すべきかどうかを決定し得る。ＬＴＥ回路は、少なくとも１つのアンテナの制御が解放されているかどうかをＷＬＡＮ回路に通知するために、応答（たとえば、肯定応答または否定応答）を使用してＷＬＡＮ回路にシグナリングし得る。少なくとも１つのアンテナを共有するためにメッセージベース方式を使用することによって、少なくとも１つのアンテナは、時分割方式を使用するよりも大きいフレキシビリティを伴って共有され得る。追加として、いくつかの要求がクリティカルとして示され得る（したがって、ＬＴＥ回路によって自動的に許可され得る）ので、ＷＬＡＮ回路は、必要に応じて（on an as needed basis）いくつかの（certain）動作を実行できる場合がある。したがって、スケジュールされないクリティカル動作を実行するＷＬＡＮアプリケーションが、メッセージベース共有方式によってサポートされ得る。
【００２１】
[0028]図１を参照すると、ワイヤレスローカルエリアネットワーク（ＷＬＡＮ）回路とロングタームエボリューション（ＬＴＥ）回路との間でワイヤレスデバイスの少なくとも１つのアンテナを共有することをサポートするシステムの例示的な態様のブロック図が示され、概略的に１００に指定される。システム１００は、ワイヤレスデバイス１０２と、アクセスポイント（ＡＰ）１２０と、基地局１２２とを含む。
【００２２】
[0029]ＡＰ１２０は、ＷＬＡＮの一部であってよく、ＷＬＡＮへのアクセスをワイヤレスデバイスに提供するように構成され得る。たとえば、ワイヤレスデバイス１０２がＡＰ１２０との関連状態にある場合、ＡＰ１２０は、ワイヤレスデバイス１０２がＷＬＡＮを介して他のワイヤレスデバイスと通信することを可能にし得る。ＡＰ１２０（および、図示しない他のＡＰまたはワイヤレスデバイス）は、基本サービスセット（ＢＳＳ）または拡張サービスセット（ＥＳＳ）を表し得る。ＡＰ１２０は、ワイヤレス規格に従って動作するように構成され得る。たとえば、ＡＰ１２０は、米国電気電子学会（ＩＥＥＥ）８０２．１１規格、Ｗｉ−Ｆｉ（登録商標）アライアンス規格、他の規格、またはそれらの組合せに従って動作するように構成されてよい。ＡＰ１２０がＩＥＥＥ８０２．１１規格に従って動作し得るので、ＷＬＡＮは「Ｗｉ−Ｆｉ」ネットワークと呼ばれることがある（may）。特定の実装形態では、ＡＰ１２０は、「５ギガヘルツ（ＧＨｚ）無認可スペクトル」と呼ばれる特定の周波数帯域において動作するように構成され得る。５ＧＨｚ無認可スペクトルとは、約５ＧＨｚと約６ＧＨｚとの間の周波数帯域（たとえば、５１５０メガヘルツ（ＭＨｚ）〜５８５０ＭＨｚ）を指してよい。
【００２３】
[0030]基地局１２２は、セルラーネットワークの一部であってよく、様々なタイプのワイヤレス通信をサポートし得る。詳細には、基地局１２２はＬＴＥ基地局であってよい。ＬＴＥ基地局は、ＬＴＥネットワークの一部であってよく、ＬＴＥ通信をサポートし得る。特定の実装形態では、基地局１２２は、ＬＴＥ−Ｕｎｌｉｃｅｎｓｅｄ（ＬＴＥ−Ｕ）基地局である。ＬＴＥ−Ｕとは、５ＧＨｚ無認可スペクトルと呼ばれる特定の周波数帯域において動作するＬＴＥネットワークを指す。特定の実装形態では、基地局１２２は、３つの周波数帯域、すなわち、５１５０〜５２５０ＭＨｚ（「Ｕ−ＮＩＩ−１」）、５２５０〜５７２５ＭＨｚ（「Ｕ−ＮＩＩ−２」）、または５７２５〜５８５０ＭＨｚ（「Ｕ−ＮＩＩ−３」）のうちの１つにおいて動作するように構成される。
【００２４】
[0031]ワイヤレスデバイス１０２は、モバイル電話、衛星電話、ラップトップコンピュータ、タブレットコンピュータ、パームコンピュータ、携帯情報端末（ＰＤＡ）、コンピュータ化ウォッチ（computerized watches）、マルチメディアデバイス、周辺デバイス、データ記憶デバイス、車両（または、それの構成要素）、またはそれらの組合せを含んでよくまたはそれに相当し得る（may include or correspond to）。ワイヤレスデバイス１０２は、ワイヤレスローカルエリアネットワーク（ＷＬＡＮ）回路１０４と、ロングタームエボリューション回路（ＬＴＥ）１０６と、インターフェース１０８と、少なくとも１つのアンテナ１１０とを含む。インターフェース１０８は、共有メモリインターフェース、ワイヤレス共存インターフェース２（ＷＣＩ−２）、汎用入出力（ＧＰＩＯ）インターフェース、バス、または異なるインターフェースを含み得る。本明細書でさらに説明するように、少なくとも１つのアンテナ１１０は、ＷＬＡＮ回路１０４およびＬＴＥ回路１０６によって共有され得る。特定の実装形態では、ＬＴＥ回路１０６およびＷＬＡＮ回路１０４は、ワイヤレスデバイス１０２のモデム内に統合されてよい。たとえば、ワイヤレスデバイス１０２が単一のモデムを含んでよく、モデムがＷＬＡＮ回路１０４とＬＴＥ回路１０６とを含んでよい。
【００２５】
[0032]少なくとも１つのアンテナ１１０は、単一のアンテナまたは２つ以上のアンテナを含み得る。特定の実装形態では、少なくとも１つのアンテナ１１０は、２つ以上のアンテナを含み、ワイヤレスデバイス１０２は、２つ以上のアンテナを介した多入力多出力（ＭＩＭＯ）技法を使用して通信するように構成される。いくつかの実装形態では、ワイヤレスデバイス１０２は、専用の（たとえば、共有されない）アンテナを含み得る。たとえば、ワイヤレスデバイス１０２は、第１の専用アンテナ１１２と第２の専用アンテナ１１４とを含み得る。ＷＬＡＮ回路１０４は、第１の専用アンテナ１１２を動作させるように構成され得、ＬＴＥ回路１０６は、第２の専用アンテナ１１４を動作させるように構成され得る。他の実装形態では、ワイヤレスデバイス１０２は、専用アンテナ１１２および１１４を含まない。
【００２６】
[0033]追加として、ワイヤレスデバイス１０２は、プロセッサとメモリ（図示せず）とを含み得る。プロセッサは、中央処理装置（ＣＰＵ）、デジタル信号プロセッサ（ＤＳＰ）、ネットワーク処理ユニット（ＮＰＵ）、または他の処理デバイスを含んでよくまたはそれに相当し得る。メモリは、ランダムアクセスメモリ（ＲＡＭ）、読取り専用メモリ（ＲＯＭ）、レジスタのセット、記憶素子のセット、またはそれらの組合せを含んでよくまたはそれに相当し得る。ワイヤレスデバイス１０２はまた、少なくとも１つのアンテナ１１０を介してデータを送るおよび受信するように構成された少なくとも１つのワイヤレスインターフェースを含み得る。
【００２７】
[0034]ＷＬＡＮ回路１０４は、少なくとも１つのアンテナ１１０を使用してＷＬＡＮを介してデータを受信するかまたは送るように構成された回路を含み得る。たとえば、ＷＬＡＮ回路１０４は、プロセッサもしくはコントローラ、トランシーバ、受信機、送信機、アンテナインターフェース回路、スイッチ、スイッチ制御回路、デュプレクサ、送信フィルタ、受信フィルタ、整合回路、ミキサ、増幅器、発振器、局部発振器（ＬＯ）生成器、位相ロックループ（ＰＬＬ）、他の回路、またはそれらの組合せを含んでよくまたはそれに相当し得る。ＷＬＡＮ回路１０４は、ワイヤレス規格に従って動作するように構成され得る。たとえば、ＷＬＡＮ回路１０４は、ＩＥＥＥ８０２．１１規格（たとえば、Ｗｉ−Ｆｉ規格）、Ｗｉ−Ｆｉアライアンス規格、他の規格、またはそれらの組合せに従って動作するように構成され得る。特定の実装形態では、ＷＬＡＮ回路１０４は、第２の周波数帯域を介してデータを送るかまたは受信するように構成され得る。第２の周波数帯域は、５ＧＨｚチャネルを含み得る。他の実装形態では、ＷＬＡＮ回路１０４は、２．４ＧＨｚチャネルまたは他の周波数スペクトルを介してデータを送るかまたは受信するように構成され得る。
【００２８】
[0035]ＬＴＥ回路１０６は、少なくとも１つのアンテナ１１０を使用してＬＴＥネットワークを介してデータを受信するかまたは送るように構成された回路を含み得る。たとえば、ＬＴＥ回路１０６は、プロセッサもしくはコントローラ、トランシーバ、受信機、送信機、アンテナインターフェース回路、スイッチ、スイッチ制御回路、デュプレクサ、送信フィルタ、受信フィルタ、整合回路、ミキサ、増幅器、発振器、局部発振器（ＬＯ）生成器、位相ロックループ（ＰＬＬ）、他の回路、またはそれらの組合せを含んでよくまたはそれに相当し得る。ＬＴＥ回路１０６は、ＬＴＥ通信技法または規格に従って動作するように構成され得る。特定の実装形態では、ＬＴＥ回路１０６は、ＬＴＥ−Ｕ回路を含み得る。ＬＴＥ−Ｕ回路は、第１の周波数帯域を介してデータを送るかまたは受信するように構成され得る。第１の周波数帯域は、５ＧＨｚ無認可スペクトルを含み得る。特定の実装形態では、ＬＴＥ回路１０６は、３つの周波数帯域、すなわち、５１５０〜５２５０ＭＨｚ（「Ｕ−ＮＩＩ−１」）、５２５０〜５７２５ＭＨｚ（「Ｕ−ＮＩＩ−２」）、または５７２５〜５８５０ＭＨｚ（「Ｕ−ＮＩＩ−３」）のうちの１つを介して、データを送るかまたは受信するように構成される。したがって、いくつかの実装形態では、第１の周波数帯域は、少なくとも部分的に第２の周波数帯域に重複することがある。重複する周波数帯域は、「共通周波数帯域」と呼ばれることがある。他の実装形態では、ＬＴＥ回路１０６は、他の周波数スペクトルを介してデータを送るかまたは受信するように構成され得る。これらの他の実装形態では、第１の周波数帯域および第２の周波数帯域は重複し得ない。
【００２９】
[0036]ＷＬＡＮ回路１０４およびＬＴＥ回路１０６は両方とも、共通周波数帯域（たとえば、５ＧＨｚ無認可スペクトル内およびＷＬＡＮに対応する５ＧＨｚチャネル内の、１つまたは複数のサブバンドなどの重複する周波数帯域）を介して少なくとも１つのアンテナ１１０を使用してデータを送るかまたは受信するように構成され得るので、共存問題が起こり得る。共存問題を回避するために、ワイヤレスデバイス１０２は、特定の時間においてＷＬＡＮ回路１０４またはＬＴＥ回路１０６のうちの一方が少なくとも１つのアンテナ１１０の制御を有するように構成され得る。少なくとも１つのアンテナ１１０の制御を有することは、ＷＬＡＮ回路１０４またはＬＴＥ回路１０６が、ＷＬＡＮ回路１０４およびＬＴＥ回路１０６のうちの他方が少なくとも１つのアンテナ１１０を使用できない間に、少なくとも１つのアンテナ１１０を使用すること、または使用するように構成されることのいずれかを指し得る。特定の実装形態では、ワイヤレスデバイス１０２は、少なくとも１つのアンテナ１１０をＷＬＡＮ回路１０４またはＬＴＥ回路１０６に選択的に結合するように構成されたスイッチを含み得る。たとえば、ＬＴＥ回路１０６は、スイッチに少なくとも１つのアンテナをＬＴＥ回路１０６に結合させることによって、少なくとも１つのアンテナの制御を保持または回復する（regain）ように構成され得る。他の実装形態では、ワイヤレスデバイス１０２はスイッチを含まなくてよく、ＷＬＡＮ回路１０４およびＬＴＥ回路１０６のうちの一方が少なくとも１つのアンテナ１１０の制御を有するときにＷＬＡＮ回路１０４およびＬＴＥ回路１０６のうちの他方が少なくとも１つのアンテナ１１０を使用しないように、ＷＬＡＮ回路１０４およびＬＴＥ回路１０６が構成され得る。ＬＴＥ回路１０６またはＷＬＡＮ回路１０４は、本明細書でさらに説明するメッセージングを介して、少なくとも１つのアンテナ１１０の制御を示し得る。
【００３０】
[0037]ワイヤレスデバイス１０２は、ワイヤレスデバイス１０２の動作モードに基づいてＷＬＡＮ回路１０４とＬＴＥ回路１０６との間で少なくとも１つのアンテナ１１０を共有するように構成され得る。動作モードは、ＷＬＡＮモードとＬＴＥモードとを含み得る。ＷＬＡＮモードおよびＬＴＥモードは各々、有効化または無効化されてよく、動作モードは排他的でない（たとえば、ＷＬＡＮモードおよびＬＴＥモードが両方とも並行して（concurrently）有効化され得る）。少なくとも１つのアンテナ１１０は、ＷＬＡＮモードおよびＬＴＥモードに基づいて共有され得る。例示のために、ＷＬＡＮモードとＬＴＥモードの両方が無効化されているとき、ＷＬＡＮ回路１０４が少なくとも１つのアンテナ１１０の制御を有する。ＷＬＡＮモードが無効化されておりＬＴＥモードが有効化されているとき、ＬＴＥ回路１０６が少なくとも１つのアンテナ１１０の制御を有する。ＷＬＡＮモードが有効化されておりＬＴＥモードが無効化されているとき、ＷＬＡＮ回路１０４が少なくとも１つのアンテナ１１０の制御を有する。ＷＬＡＮモードが有効化されており、ＬＴＥモードが有効化されており、ワイヤレスデバイス１０２がＷＬＡＮを介した別のワイヤレスデバイスとの関連状態にある（たとえば、通信可能に接続されている）とき、ＷＬＡＮ回路１０４が少なくとも１つのアンテナ１１０の制御を有し、ＬＴＥ回路１０６において無線リンク障害（ＲＬＦ：Radio Link Failure）状態がトリガされる。たとえば、ワイヤレスデバイス１０２が、ＡＰ１２０によって提供されるＷＬＡＮを介したＡＰ１２０との関連状態にあり、ＷＬＡＮモードとＬＴＥモードの両方が有効化されているとき、ＷＬＡＮ回路１０４が少なくとも１つのアンテナ１１０の制御を有し、ＬＴＥ回路１０６においてＲＬＦ状態がトリガされる。ＡＰ１２０との関連状態にあるものとして本明細書で説明されるが、他の実装形態では、ワイヤレスデバイス１０２は、（たとえば、非限定的な例としてピアツーピア接続を介した）他のステーションまたはクライアントなどの、他のデバイスとの関連状態にあってよい（たとえば、通信可能に接続されてよい）。
【００３１】
[0038]本明細書でさらに説明するように、ＷＬＡＮモードが有効化されており、ＬＴＥモードが有効化されており、ワイヤレスデバイス１０２がＷＬＡＮを介したいかなる他のワイヤレスデバイスとの関連状態にもないとき、ＬＴＥ回路１０６は少なくとも１つのアンテナ１１０の制御を有するが、少なくとも１つのアンテナ１１０は共有され得る。他のワイヤレスデバイスは、時分割方式に従ってＷＬＡＮ回路とＬＴＥ回路との間でアンテナを共有し得る。たとえば、ＷＬＡＮ回路は、各５秒の区間（interval）のうちの１秒にわたって（for）アンテナの制御を有し、ＬＴＥ回路は、５つの区間のうちの残りにわたってアンテナの制御を有する。この時分割方式は、いくつかの（some）ＷＬＡＮアプリケーションとＬＴＥアプリケーションとの間でのアンテナの共有を可能にし得る。
【００３２】
[0039]しかしながら、時分割方式は、いくつかのＷＬＡＮアプリケーションとの共有をサポートするのにフレキシブルでないことがある。たとえば、いくつかのＷＬＡＮアプリケーションは、ＬＴＥ回路が制御を有する時間（たとえば、各５秒の区間のうちの４秒）においてクリティカル動作を実行することがある。ＷＬＡＮアプリケーションがクリティカル動作を実行しない場合、ＷＬＡＮアプリケーションは失敗することがあるか、またはエラー状態に入ることがある。追加として、いくつかのＷＬＡＮアプリケーションは、ＷＬＡＮ回路におけるアンテナ制御の時間期間（たとえば、１秒）よりも長くかかる動作を実行することがある。アンテナの制御がＷＬＡＮ回路から取り上げられる（taken away from）ことに起因して動作が完了しない場合、ＷＬＡＮアプリケーションは失敗することがあるか、またはエラー状態に入ることがある。したがって、時分割方式は、少なくともいくつかのＷＬＡＮアプリケーションをサポートするのに十分にフレキシブルでないことがある。
【００３３】
[0040]時分割方式によってサポートされ得ないＷＬＡＮアプリケーションの例は、好適ネットワークオフロード（ＰＮＯ）走査、アウトオブサービス（ＯＯＳ）走査、機会主義的ローミング走査、「常時オン」測距走査、「位置特定」走査または時間制約を有する他の走査、近隣認識ネットワーク（ＮＡＮ）発見走査、ＮＡＮビーコニング動作、およびステーション間マルチチャネル同時処理（ＳＴＡ＋ＳＴＡ  ＭＣＣ）動作を実行する、１つまたは複数のアプリケーションを含む。動作のうちの少なくともいくつか（たとえば、ＰＮＯ走査、測距走査、および位置特定走査）は、１つまたは複数の規格に従って実行され得る。
【００３４】
[0041]例示のために、上述の動作を実行するアプリケーションは、各５秒の区間ごとに１秒の範囲の外側の（outside）様々な時間においてアンテナにアクセスすることがある。一例として、ＰＮＯ実行走査をサポートするアプリケーションは、ワイヤレスデバイス１０２が低電力（たとえば、スリープ）モードにある間、ＷＬＡＮ接続を求めるバックグラウンド走査を実行し得る。バックグラウンド走査は、規格に従って、時分割共有方式に適合しない時間において実行され得る。別の例として、ＯＯＳ走査をサポートするアプリケーションは、ワイヤレスデバイス１０２が圏外（out of service）（たとえば、ＷＬＡＮを提供しているワイヤレスデバイスのサービス範囲の外側）にあるとき、ＷＬＡＮ接続を求める（for）走査を実行し得る。ＯＯＳ走査は、時分割共有方式に適合しない時間において実行され得る。別の例として、機会主義的（たとえば、スマート）ローミングをサポートするアプリケーションは、ワイヤレスデバイス１０２が５ＧＨｚチャネルを介したいかなる他のワイヤレスデバイスとの関連状態にもない（たとえば、いかなる他のワイヤレスデバイスに接続されていない）とき、５ＧＨｚチャネルを介して「分割（split）」走査を実行し得る。別の例として、常時オン測距をサポートするアプリケーションは、ワイヤレスデバイス１０２が５ＧＨｚチャネルを介したいかなる他のワイヤレスデバイスとの関連状態にもないとき、５ＧＨｚチャネルにおいて動作しているＡＰとの測距動作を実行し得る。別の例として、ＮＡＮ発見走査をサポートするアプリケーションは、時分割共有方式に適合し得ない固定された周期性でＮＡＮビーコンを求める走査を実行し得る。別の例として、ＮＡＮビーコン動作をサポートするアプリケーションは、時分割共有方式に適合し得ない固定された周期性でＮＡＮビーコンを送り得る。別の例として、位置特定走査（または、時間制約を有する他の走査）をサポートするアプリケーションは、１秒を上回る持続時間を有する走査または測距動作を実行し得、したがって、時分割共有方式に適合し得ない。例示のために、時間制約を有する走査を（たとえば、ＷＬＡＮ回路１０４が少なくとも１つのアンテナ１１０の制御を失うことに起因して）完了の前に中断することは、エラーをトリガし得る。別の例として、ＳＴＡ＋ＳＴＡ  ＭＣＣ動作をサポートするアプリケーションは、時分割共有方式に適合し得ない固定された周期性で５ＧＨｚチャネルを介してメッセージを送り得る。上記で説明した動作の固定された周期性は相異なることがあり得るので、単一の時分割共有方式は、上記で説明したアプリケーションの各々に適合しないことがある。したがって、時分割共有方式は、上記で説明したアプリケーションの各々をサポートしない。
【００３５】
[0042]時分割方式を使用して少なくとも１つのアンテナ１１０を共有する代わりに、ＬＴＥ回路１０６は、ＷＬＡＮ回路１０４とＬＴＥ回路１０６との間で交換されるメッセージに基づいて、少なくとも１つのアンテナ１１０の制御をＷＬＡＮ回路１０４と共有するように構成され得る。ワイヤレスデバイス１０２がＷＬＡＮを介したいかなる他のワイヤレスデバイスとの関連状態にもないときに、ならびにＷＬＡＮモードおよびＬＴＥモードが有効化されているときに、共有のこの方法が実行され得る。ワイヤレスデバイス１０２がＷＬＡＮを介したいかなる他のワイヤレスデバイスとの関連状態にもないとき（ならびに、ＷＬＡＮモードおよびＬＴＥモードが有効化されているとき）、ＬＴＥ回路１０６は、少なくとも１つのアンテナ１１０の制御をデフォルトで有するように構成され得る。アプリケーションが少なくとも１つのアンテナ１１０へのアクセスを要求しているとＷＬＡＮ回路１０４が決定すると、ＷＬＡＮ回路１０４は、少なくとも１つのアンテナ１１０の制御を要求し得る。例示のために、ＷＬＡＮ回路１０４は、アプリケーションが少なくとも１つのアンテナ１１０へのアクセスを要求しているとき、要求１３０を生成するように構成され得る。要求１３０は、インターフェース１０８を介して送られてよい。たとえば、インターフェース１０８は、ＬＴＥ回路１０６とＷＬＡＮ回路１０４との間の通信を可能にし得、要求１３０または要求１３０への応答などのメッセージが、インターフェース１０８を介して送信または受信され得る。本明細書でさらに説明するように、ＬＴＥ回路１０６は、ＷＬＡＮ回路１０４から要求１３０を受信する、および、要求１３０の中に含まれるデータに基づいて応答１４０を送るように構成され得る。
【００３６】
[0043]要求１３０は、要求に対応する動作に対応するデータを含み得る。データは、要求に対応する動作がクリティカルであるかどうかを示すクリティカリティビット１３２を含み得る。動作の実行（perform the operation）に失敗することがアプリケーションを失敗させるかまたはエラー状態に入らせる場合、動作は「クリティカルである」と呼ばれてよい。クリティカリティビット１３２の値は、動作がクリティカルであるかどうかを示し得る。たとえば、クリティカリティビット１３２が第１の値を有する場合、動作はクリティカルであり、クリティカリティビット１３２が第２の値を有する場合、動作はクリティカルでない。特定の実装形態では、第１の値は１値（one value）であり、第２の値は０値である。代替として、第１の値が０値であってもよく、第２の値が１値であってもよい。
【００３７】
[0044]要求１３０はまた、少なくとも１つのアンテナ１１０を使用して実行されるべき動作の持続時間１３４を示し得る。持続時間１３４は、要求に対応する動作を実行することの推定持続時間を表す値であってよい。特定の実装形態では、ＷＬＡＮ回路１０４は、少なくとも１つのアンテナ１１０へのアクセスを要求しているアプリケーションから持続時間１３４を受信するように構成され得る。別の特定の実装形態では、ＷＬＡＮ回路１０４は、ＷＬＡＮ回路１０４を介した様々な動作の実行に対応する推定持続時間を記憶するメモリ（図示せず）にアクセスするように構成され得る。メモリは、少なくとも１つのアンテナ１１０へのアクセスを要求しているアプリケーションのタイプに基づいてアクセスされ得る。別の特定の実装形態では、ＷＬＡＮ回路１０４は、動作の実行の持続時間１３４を推定するように構成されたプロセッサまたはコントローラを含み得る。
【００３８】
[0045]ＬＴＥ回路１０６は、要求１３０の中に含まれるデータに基づいて応答１４０をＷＬＡＮ回路１０４へ送るように構成され得る。応答１４０は、要求１３０がＬＴＥ回路１０６によって許可されるかどうかを示し得る。応答１４０は、クリティカリティビット１３２、持続時間１３４、またはそれらの組合せに基づいて送られてよい。
【００３９】
[0046]ＬＴＥ回路１０６は、クリティカル動作に対応する要求を自動的に許可するように構成され得る。動作がクリティカルであるとき、ＬＴＥ回路１０６は、持続時間１３４にかかわらず要求を許可してよい。例示のために、ＬＴＥ回路１０６は、要求１３０がクリティカル動作に対応することを示す第１の値をクリティカリティビット１３２が有するとき、要求１３０を許可するように構成され得る。要求１３０が許可されているとき、応答１４０は肯定応答（ＡＣＫ）メッセージである。たとえば、クリティカリティビット１３２が第１の値を有するとき、ＬＴＥ回路１０６は、要求１３０が許可されていることを示すために応答１４０としてＡＣＫを送る。クリティカリティビット１３２が第１の値を有する（with the criticality bit 132 having the first value）要求１３０を受信することに応答して、ＬＴＥ回路１０６は、要求１３０を「直ちに」許可してよい。要求を「直ちに」許可することは、ＬＴＥ回路１０６によって実行されているいかなる現在の動作も終了することと、ＡＣＫを送ることと、少なくとも１つのアンテナ１１０の制御を解放することとを指す。クリティカリティビット１３２が第１の値を有するときに送られるメッセージのタイミングに関する詳細が、図２を参照しながらさらに説明される。
【００４０】
[0047]応答１４０としてＡＣＫを送ることに加えて、ＬＴＥ回路１０６は、少なくとも１つのアンテナ１１０の制御を解放する。特定の実装形態では、少なくとも１つのアンテナ１１０の制御を解放することは、スイッチに少なくとも１つのアンテナ１１０をＷＬＡＮ回路１０４に結合させることを含む。たとえば、ワイヤレスデバイス１０２は、ＷＬＡＮ回路１０４またはＬＴＥ回路１０６を少なくとも１つのアンテナ１１０に選択的に結合するように構成されるスイッチを含み得る。少なくとも１つのアンテナ１１０の制御を解放するために、ＬＴＥ回路１０６は、スイッチにＷＬＡＮ回路１０４を少なくとも１つのアンテナ１１０に結合させ得る。代替実装形態では、ＬＴＥ回路１０６の中に含まれるプロセッサまたはコントローラは、ＬＴＥ回路１０６が少なくとも１つのアンテナ１１０の制御を解放することに応答して、少なくとも１つのアンテナ１１０を介してデータを送ることまたは受信することをやめるように構成され得る。たとえば、ＬＴＥ回路１０６は、少なくとも１つのアンテナ１１０の制御の解放に応答して、ＬＴＥ回路１０６から少なくとも１つのアンテナ１１０へのデータ送信を無効化し得る。
【００４１】
[0048]応答１４０としてＡＣＫを受信することに応答して、ＷＬＡＮ回路１０４は、要求１３０に対応する動作を実行するために少なくとも１つのアンテナ１１０の制御を取り（take）得る。ＷＬＡＮ回路１０４は、動作の実行が完了されるまで、少なくとも１つのアンテナ１１０の制御を保持し得る。動作の実行を完了することは、動作を「アトミックに（atomically）」完了することと呼ばれることがある。動作の実行が完了した後、ＷＬＡＮ回路１０４は、ＬＴＥ回路１０６へ解放メッセージ（release message）１４２を送ってよく、少なくとも１つのアンテナ１１０の制御を解放し得る。ＬＴＥ回路１０６は、解放メッセージ１４２を受信するおよび、解放メッセージ１４２を受信することに応答して少なくとも１つのアンテナ１１０の制御を回復するように構成され得る。特定の実装形態では、少なくとも１つのアンテナ１１０の制御を回復すること（または、保持すること）は、スイッチに少なくとも１つのアンテナ１１０をＬＴＥ回路１０６に結合させることを含む。代替実装形態では、ＬＴＥ回路１０６の中に含まれるプロセッサまたはコントローラは、ＬＴＥ回路１０６が少なくとも１つのアンテナ１１０の制御を回復したとき、少なくとも１つのアンテナ１１０を介してデータを送ることまたは受信することを再開するように構成され得る。
【００４２】
[0049]特定の実装形態では、解放メッセージ１４２は、要求１３０のデータによって示される持続時間１３４に対応する時間期間の満了の前に受信される。たとえば、ＷＬＡＮ回路１０４は、持続時間１３４よりも短い時間の中で動作の実行を完了してよく解放メッセージ１４２を送ってよい。ＷＬＡＮ回路１０４が、持続時間１３４に基づくいくらかの時間（certain time）まで制御を保持する代わりに、動作の実行が完了したときに少なくとも１つのアンテナ１１０の制御を解放するように構成されるので、少なくとも１つのアンテナ１１０に対応する不活動期間が短縮され（reduced）得る。
【００４３】
[0050]追加として、ＬＴＥ回路１０６は、非クリティカル要求を選択的に許可するように構成され得る。要求の選択的な許可は、持続時間１３４に基づいてよい。例示のために、要求１３０がクリティカル動作に対応しないことを示す第２の値をクリティカリティビット１３２が有するとき、ＬＴＥ回路１０６は、要求１３０を許可すべきかどうかを持続時間１３４に基づいて決定するように構成され得る。クリティカリティビット１３２が第２の値を有するときに送られるメッセージのタイミングに関する詳細が、図３〜図５を参照しながらさらに説明される。ＬＴＥ回路１０６はまた、ＬＴＥ回路１０６において次に予想される動作の前の時間の推定持続時間を決定する、および、要求１３０を許可すべきかどうかを決定する際に推定持続時間を使用するように構成され得る。持続時間１３４が推定持続時間を上回らないとき、要求１３０が許可されてよい。ＬＴＥ回路１０６がデータを送るかまたは受信するようにスケジュールされていないとき、少なくとも１つのアンテナ１１０における不活動の時間期間を効率的に使用するために、要求１３０が許可されてよい。例示のために、ＬＴＥ回路１０６は、持続時間１３４がＬＴＥ回路１０６において次に予想される動作の前の時間の推定持続時間を上回らないことに応答して、その少なくとも１つのアンテナ１１０の制御を解放すべきと決定し得る。持続時間１３４が推定持続時間を上回らないと決定することに応答して、ＬＴＥ回路１０６は、応答１４０としてＡＣＫを送り、ＬＴＥ回路１０６は、少なくとも１つのアンテナ１１０の制御を解放する。ＷＬＡＮ回路１０４は、応答１４０（たとえば、ＡＣＫ）を受信し得、動作の実行が完了するまで少なくとも１つのアンテナ１１０の制御を保持し得る。動作の実行を完了した後、ＷＬＡＮ回路１０４は、解放メッセージ１４２を送ってよく、および、少なくとも１つのアンテナ１１０の制御を解放してよい。
【００４４】
[0051]持続時間１３４が推定持続時間に等しいかまたは推定持続時間を上回る場合、ＬＴＥ回路１０６が、ＷＬＡＮ回路１０４における動作が完了することになる前にデータを送るかまたは受信するようにスケジュールされているので、要求１３０は許可されない。ＬＴＥ回路１０６は、持続時間１３４がＬＴＥ回路１０６において次に予想される動作の前の時間の推定持続時間に等しいかまたは推定持続時間を上回ることに応答して、その少なくとも１つのアンテナ１１０の制御を解放すべきでないと決定し得る。推定持続時間が持続時間１３４に等しいかまたは推定持続時間を上回ると決定することに応答して、ＬＴＥ回路１０６は、応答１４０としてＮＡＣＫを送る。ＷＬＡＮ回路１０４は、応答１４０（たとえば、ＮＡＣＫ）を受信する、および、ＮＡＣＫに基づいて、その少なくとも１つのアンテナ１１０の制御が解放されなかったと決定するように構成され得る。ＮＡＣＫを受信することに応答して、ＷＬＡＮ回路１０４は、その少なくとも１つのアンテナ１１０の制御を要求するために、第２の要求をＬＴＥ回路１０６へ送ってよい。第２の要求において、図４を参照しながらさらに説明するように、クリティカリティビット１３２は第１の値を有してよい。代替として、第２の要求において、図５を参照しながらさらに説明するように、クリティカリティビット１３２は、第２の値を有してよく、ＬＴＥ回路１０６は、第２の要求を許可すべきでないと決定してよい。いくつかの実装形態では、第２の要求を許可しないことは、ＷＬＡＮ回路１０４におけるエラー条件を引き起こすことがある。
【００４５】
[0052]特定の実装形態では、要求１３０は、要求１３０に対応する周期性を示し得る。たとえば、要求１３０は、ＷＬＡＮ回路１０４による少なくとも１つのアンテナ１１０への要求されるアクセスの周期性に対応するカウント値１３６を含み得る。この実装形態において送られるメッセージのタイミングのさらなる詳細が、図６を参照しながらさらに説明される。この実装形態では、ＷＬＡＮ回路１０４は、周期的に（on a periodic basis）実行されるべき動作を識別し得、要求１３０は、動作に基づき得る。要求１３０はまた、（要求１３０がクリティカル動作に対応することを示す）第１の値を有するクリティカリティビット１３２を含み得る。ＬＴＥ回路１０６は、カウント値１３６に従って周期的に要求１３０を許可するように構成され得る。ＬＴＥ回路１０６は、要求１３０が許可されるべき時間を識別するために使用されるタイマーを含み得る。カウント値１３６を有する要求１３０を受信することに応答して少なくとも１つのアンテナ１１０の制御を解放することに加えて、ＬＴＥ回路１０６は、タイマーを初期値において開始し得る。少なくとも１つのアンテナ１１０の制御を解放することは、応答１４０としてＡＣＫを送ることを含み得る。ＷＬＡＮ回路１０４が動作の実行を完了した後、ＷＬＡＮ回路１０４は、解放メッセージ１４２をＬＴＥ回路１０６へ送る。解放メッセージ１４２を受信した後、ＬＴＥ回路１０６は、少なくとも１つのアンテナ１１０の制御を回復し得る。
【００４６】
[0053]しかしながら、ＷＬＡＮ回路１０４は、カウント値１３６によって示されるもっと後の時間において再び動作を実行するようにスケジュールされる。ＬＴＥ回路１０６は、ＷＬＡＮ回路１０４から追加の要求メッセージを受信することなく少なくとも１つのアンテナ１１０の制御を解放するために、タイマーを使用するように構成され得る。例示のために、ＬＴＥ回路１０６は、タイマーがカウント値１３６に一致する（matches）値に到達するときに少なくとも１つのアンテナ１１０の制御を解放するように構成され得る。いくつかの実装形態では、ＬＴＥ回路１０６は、少なくとも１つのアンテナ１１０の解放を示すために別のＡＣＫを送ってよい。他の実装形態では、ＬＴＥ回路１０６は、ＡＣＫを送ることなく少なくとも１つのアンテナを解放してよい。少なくとも１つのアンテナ１１０の制御を解放した後、ＬＴＥ回路１０６は、タイマーをリセットし得る。少なくとも１つのアンテナ１１０の制御が解放されるたびにタイマーをリセットすることによって、ＬＴＥ回路１０６は、（たとえば、少なくとも１つのアンテナ１１０の制御が要求されるたびにＷＬＡＮ回路１０４から要求を受信することなく）単一の要求に基づいて要求１３０を周期的に許可するように構成され得る。もはや動作が実行されるようにスケジュールされていない場合、ＷＬＡＮ回路１０４は、終了メッセージ１４４をＬＴＥ回路１０６へ送ってよい。ＬＴＥ回路１０６は、終了メッセージ１４４を受信することに応答してタイマーの動作を終了するように（および、少なくとも１つのアンテナ１１０の制御を周期的に解放することをやめるように）構成され得る。単一の要求メッセージに基づいてＬＴＥ回路１０６において少なくとも１つのアンテナ１１０の制御を周期的に解放することは、ＷＬＡＮ回路１０４における周期的な動作をサポートするためにＷＬＡＮ回路１０４とＬＴＥ回路１０６との間で交換されるメッセージの量を減らすことによって、インターフェース１０８におけるオーバーヘッドと輻輳とを低減する。
【００４７】
[0054]動作中、ワイヤレスデバイス１０２のＷＬＡＮモードとＬＴＥモードの両方が有効化されているとき、およびワイヤレスデバイス１０２がＷＬＡＮを介したＡＰ１２０などのいかなる他のワイヤレスデバイスとの関連状態にもないとき、ＬＴＥ回路１０６は、少なくとも１つのアンテナ１１０の制御を有してよい。ＬＴＥ回路１０６が少なくとも１つのアンテナ１１０の制御を有するとき、ＬＴＥ回路１０６は、基地局１２２によって提供されるＬＴＥネットワークを介してデータを送るかまたは受信するために、少なくとも１つのアンテナ１１０を使用し得る。特定の実装形態では、ＬＴＥネットワークはＬＴＥ−Ｕネットワークである。ＷＬＡＮ回路１０４は、アプリケーションが少なくとも１つのアンテナ１１０の制御を要求していると決定し得、ＷＬＡＮ回路１０４は、要求１３０をＬＴＥ回路１０６へ送り得る。要求１３０は、クリティカリティビット１３２を含み、持続時間１３４を示す。要求１３０を受信することに応答して、ＬＴＥ回路１０６は、要求１３０の中に含まれるデータ（たとえば、クリティカリティビット１３２および持続時間１３４）に基づいて、要求１３０を許可すべきかどうかを決定し得る。要求１３０がクリティカル動作に対応することを示す第１の値をクリティカリティビット１３２が有する場合、ＬＴＥ回路１０６は、応答１４０としてＡＣＫをＷＬＡＮ回路１０４へ送ることによって、および少なくとも１つのアンテナ１１０の制御を解放することによって、要求１３０を許可してよい。応答１４０を受信した後、ＷＬＡＮ回路１０４は、少なくとも１つのアンテナ１１０を使用して動作を実行し得る。たとえば、ＷＬＡＮ回路１０４は、ＡＰ１２０によって提供されるＷＬＡＮを介して動作を実行するために、少なくとも１つのアンテナ１１０を使用してよい。動作の完了の後、ＷＬＡＮ回路１０４は、少なくとも１つのアンテナ１１０の制御を解放してよく、解放メッセージ１４２をＬＴＥ回路１０６へ送ることによって、少なくとも１つのアンテナ１１０の解放を示してよい。
【００４８】
[0055]要求１３０がクリティカル動作に対応しないことを示す第２の値をクリティカリティビット１３２が有する場合、ＬＴＥ回路１０６は、要求１３０を許可すべきかどうかを持続時間１３４に基づいて決定し得る。たとえば、持続時間１３４がＬＴＥ回路１０６において次に予想される動作の前の時間の推定持続時間を上回らない場合、ＬＴＥ回路１０６は、応答１４０としてＡＣＫをＷＬＡＮ回路１０４へ送ることによって、および少なくとも１つのアンテナ１１０の制御を解放することによって、要求１３０を許可してよい。ＷＬＡＮ回路１０４は、動作を実行し得、少なくとも１つのアンテナ１１０の制御を解放し得、および、解放メッセージ１４２をＬＴＥ回路１０６へ送り得る。代替として、持続時間１３４がＬＴＥ回路１０６において次に予想される動作の前の時間の推定持続時間に等しいかまたはそれを上回る場合、ＬＴＥ回路１０６は、要求１３０を許可しなくてよく、応答１４０としてＮＡＣＫをＷＬＡＮ回路１０４へ送ってよい。ＮＡＣＫに応答して、ＷＬＡＮ回路１０４は、少なくとも１つのアンテナ１１０の制御を求める第２の要求を送ってよい。第２の要求が許可されない場合、ＷＬＡＮ回路１０４においてエラーがトリガされ得る。
【００４９】
[0056]システム１００は、時分割方式を使用するよりも大きいフレキシビリティを伴って、ＷＬＡＮ回路１０４とＬＴＥ回路１０６との間での少なくとも１つのアンテナ１１０の共有を可能にし得る。たとえば、ＷＬＡＮ回路１０４は、時分割方式における指定された時間（たとえば、各５秒の区間のうちの１秒）にわたって待つことと比較して、クリティカル動作が実行されるようにスケジュールされているとき、少なくとも１つのアンテナ１１０の制御を要求できる場合がある。ＬＴＥ回路１０６が、クリティカル動作に対応する要求を許可するように構成されるので、クリティカル動作は、動作がスケジュールされているときにＷＬＡＮ回路１０４を介して実行され得、したがって、ＷＬＡＮアプリケーションの失敗を防止する。追加として、非クリティカル要求に対応する要求は、ＬＴＥ回路１０６における不活動の期間中に許可され得る。このようにして、少なくとも１つのアンテナ１１０は、クリティカル動作を伴うＷＬＡＮアプリケーションを同様に（also）サポートしながら、ＷＬＡＮ回路１０４とＬＴＥ回路１０６との間で効率的に共有され得る。ＷＬＡＮ回路１０４およびＬＴＥ回路１０６が各々、５ＧＨｚチャネルを介してデータを送るおよび受信するように構成され得るので、共有方式は、ＷＬＡＮ回路１０４とＬＴＥ回路１０６との間の共存問題を低減し得、ワイヤレスデバイス１０２は、時分割方式を使用してＷＬＡＮ動作とＬＴＥ動作との間でアンテナを共有するワイヤレスデバイスよりも多くのＷＬＡＮ動作をサポートし得る。
【００５０】
[0057]図２を参照すると、ＷＬＡＮ回路とＬＴＥ回路との間で少なくとも１つのアンテナを共有する方法２００の第１の態様のラダー図が示される。方法２００は、少なくとも１つのアンテナを共有するように構成されるＬＴＥ回路とＷＬＡＮ回路を含むワイヤレスデバイスによって実行され得る。特定の実装形態では、方法２００は、図１のＷＬＡＮ回路１０４とＬＴＥ回路１０６とを含むワイヤレスデバイス１０２によって実行される。
【００５１】
[0058]最初に、ＬＴＥ回路１０６は、少なくとも１つのアンテナ１１０の制御を有し得、少なくとも１つのアンテナ１１０を使用してＬＴＥネットワークを介してデータを送るかまたは受信し得る。たとえば、ＬＴＥ回路１０６は、図１の基地局１２２によって提供されるＬＴＥ−Ｕネットワークを介してデータを送るかまたは受信し得る。少なくとも１つのアンテナ１１０にアクセスする動作が実行のためにスケジュールされているとＷＬＡＮ回路１０４が決定すると、２０２において、ＷＬＡＮ回路１０４は、要求１３０などの要求をＬＴＥ回路１０６へ送信する（たとえば、送る）。要求１３０は、クリティカリティビット１３２を含み、クリティカリティビット１３２は、要求１３０がクリティカル動作に対応することを示す第１の値を有する。たとえば、要求１３０がクリティカル動作に対応するとき、クリティカリティビット１３２は１に等しくてよい。他の実装形態では、クリティカリティビット１３２は、要求１３０がクリティカル動作に対応することを示すための異なる値を有してよい。図１を参照しながら説明したように、動作の実行に失敗することがアプリケーションを失敗させるかまたはエラー状態に入らせる場合、動作は「クリティカルである」と呼ばれてよい。
【００５２】
[0059]クリティカリティビット１３２を有する要求１３０を受信することに応答して、２０４において、ＬＴＥ回路１０６は、少なくとも１つのアンテナ１１０の制御を解放すべきと決定し得る。たとえば、ＬＴＥ回路１０６は、クリティカリティビット１３２が（要求１３０がクリティカル要求に対応することを示す）第１の値を有することに基づいて、少なくとも１つのアンテナ１１０の制御を解放すべきと決定し得る。その少なくとも１つのアンテナ１１０の制御を解放すべきと決定することは、要求１３０を許可することに相当し得る。ＬＴＥ回路１０６は、クリティカルとして示される要求を自動的に許可するように構成され得る。クリティカルとして示される要求を受信することに応答して、ＬＴＥ回路１０６は、少なくとも１つのアンテナ１１０の制御を解放するための動作を実行し始めてよい。２０６において、ＬＴＥ回路１０６は、少なくとも１つのアンテナ１１０の制御を解放する。一例として、ＬＴＥ回路１０６は、少なくとも１つのアンテナ１１０をＷＬＡＮ回路１０４に結合する（および、ＬＴＥ回路１０６に結合しない）ように、スイッチを構成し得る。別の例として、ＬＴＥ回路１０６の中に含まれるプロセッサまたはコントローラは、少なくとも１つのアンテナ１１０の制御が解放されるとき、少なくとも１つのアンテナ１１０を介してデータを送ることまたは受信することを控えてよい（たとえば、ＬＴＥ回路１０６に関連するアプリケーションが送ることまたは受信することを防止してよい）。２０８において、要求１３０の許可を示すために、ＬＴＥ回路１０６は、応答１４０をＷＬＡＮ回路１０４へ送信する。ステップ２０６はステップ２０８の前に行われるもの（occurring）として説明されるが、他の実装形態では、ステップ２０６がステップ２０８と並行して実行されてよく、またはステップ２０８がステップ２０６の前に実行されてよい。図２において、応答１４０は肯定応答（ＡＣＫ）である。ＡＣＫは、要求１３０がＬＴＥ回路１０６によって許可されたことをＷＬＡＮ回路１０４に示す。
【００５３】
[0060]２１０において、ＷＬＡＮ回路１０４は、少なくとも１つのアンテナ１１０を使用して動作を実行し得る。たとえば、ＷＬＡＮ回路１０４は、少なくとも１つのアンテナ１１０を使用してＷＬＡＮ（たとえば、ＡＰ１２０によって提供されるＷＬＡＮ）を介してデータを送ることまたは受信することによって、走査動作、測距動作、ＮＡＮ発見もしくはビーコニング動作、または別の動作（図１を参照しながら説明したような）を実行し得る。ワイヤレスデバイス１０２がＷＬＡＮを介したいかなる他のワイヤレスデバイスとの関連状態になくても、動作は実行されてよい。たとえば、ＷＬＡＮ回路１０４は、関連付けるべきワイヤレスデバイスを見つけようとして、メッセージを求めて５ＧＨｚチャネルを監視してよく、または５ＧＨｚチャネルを介してメッセージをブロードキャストしてよい。動作の実行が完了（たとえば、「アトミックに完了」）した後、２１２において、ＷＬＡＮ回路１０４は、少なくとも１つのアンテナ１１０の制御を解放し得る。追加として、２１４において、ＷＬＡＮ回路１０４は、解放メッセージ１４２をＬＴＥ回路１０６へ送信し得る。一例として、ＷＬＡＮ回路１０４は、少なくとも１つのアンテナ１１０をＬＴＥ回路１０６に結合する（および、ＷＬＡＮ回路１０４に結合しない）ように、スイッチを構成し得る。別の例として、ＷＬＡＮ回路１０４の中に含まれるプロセッサまたはコントローラは、少なくとも１つのアンテナ１１０の制御が解放されるとき、少なくとも１つのアンテナ１１０を介してデータを送ることまたは受信することを控えてよい。解放メッセージ１４２を受信した後、ＬＴＥ回路１０６は、図１の基地局１２２によって提供されるＬＴＥ−ＵネットワークなどのＬＴＥネットワークを介して、データを送るかまたは受信し得る。ステップ２１２はステップ２１４の前に行われるものとして説明されるが、他の実装形態では、ステップ２１２がステップ２１４と並行して実行されてよく、またはステップ２１４がステップ２１２の前に実行されてよい。
【００５４】
[0061]図３を参照すると、ＷＬＡＮ回路とＬＴＥ回路との間で少なくとも１つのアンテナを共有する方法３００の第２の態様のラダー図が示される。方法３００は、少なくとも１つのアンテナを共有するように構成されるＷＬＡＮ回路とＬＴＥ回路とを含むワイヤレスデバイスによって実行され得る。特定の実装形態では、方法３００は、図１のＷＬＡＮ回路１０４とＬＴＥ回路１０６とを含むワイヤレスデバイス１０２によって実行される。
【００５５】
[0062]最初に、ＬＴＥ回路１０６は、少なくとも１つのアンテナ１１０の制御を有し得、少なくとも１つのアンテナ１１０を使用してＬＴＥネットワークを介してデータを送るかまたは受信し得る。たとえば、ＬＴＥ回路１０６は、図１の基地局１２２によって提供されるＬＴＥ−Ｕネットワークを介してデータを送るかまたは受信し得る。少なくとも１つのアンテナ１１０にアクセスする動作が実行のためにスケジュールされているとＷＬＡＮ回路１０４が決定すると、３０２において、ＷＬＡＮ回路１０４は、要求１３０などの要求をＬＴＥ回路１０６へ送信する。要求１３０は、クリティカリティビット１３２を含み、持続時間１３４を示す。持続時間１３４は、要求１３０に対応する動作が完了まで実行するのにかかる時間の推定持続時間を示す。図３において、クリティカリティビット１３２は、要求１３０がクリティカル動作に対応しないことを示す第２の値を有する。たとえば、要求１３０がクリティカル動作に対応しないとき、クリティカリティビット１３２は０に等しくてよい。他の実装形態では、クリティカリティビット１３２は、要求１３０がクリティカル動作に対応しないことを示すための異なる値を有してよい。
【００５６】
[0063]クリティカリティビット１３２を有する要求１３０を受信することに応答して、ＬＴＥ回路１０６は、要求１３０を許可すべきかどうかを決定し得る。たとえば、ＬＴＥ回路１０６は、要求１３０を許可すべきかどうかを持続時間１３４に基づいて決定し得る。ＬＴＥ回路１０６は、持続時間１３４がＬＴＥ回路１０６においてスケジュールされている次の動作までの推定持続時間を上回らないとき、要求１３０を許可すべきと決定し（determine to grant）得る。ＬＴＥ回路１０６は、ＬＴＥ回路１０６における不活動の期間中に（たとえば、次にスケジュールされている動作の前に）完了され得る、ＷＬＡＮ回路１０４からの要求を許可するように構成され得る。図３に示す例では、持続時間１３４は推定持続時間を上回らない。したがって、３０４において、ＬＴＥ回路１０６は、要求１３０を許可すべきと決定する。３０６において、ＬＴＥ回路１０６は、少なくとも１つのアンテナ１１０の制御を解放する。３０８において、要求１３０の許可を示すために、ＬＴＥ回路１０６は、応答１４０をＷＬＡＮ回路１０４へ送信する。図３において、応答１４０はＡＣＫである。ＡＣＫは、要求１３０がＬＴＥ回路１０６によって許可されたことをＷＬＡＮ回路１０４に示す。ステップ３０６はステップ３０８の前に行われるものとして説明されるが、他の実装形態では、ステップ３０６がステップ３０８と並行して実行されてよく、またはステップ３０８がステップ３０６の前に実行されてよい。
【００５７】
[0064]３１０において、ＷＬＡＮ回路１０４は、少なくとも１つのアンテナ１１０を使用して動作を実行し得る。たとえば、ＷＬＡＮ回路１０４は、少なくとも１つのアンテナ１１０を使用してＷＬＡＮ（たとえば、ＡＰ１２０によって提供されるＷＬＡＮ）を介してデータを送ることまたは受信することによって、図１を参照しながら説明した動作のうちの１つを実行し得る。ワイヤレスデバイス１０２がＷＬＡＮを介したいかなる他のワイヤレスデバイスとの関連状態になくても、動作は実行されてよい。動作の実行が完了した後、３１２において、ＷＬＡＮ回路１０４は、少なくとも１つのアンテナ１１０の制御を解放し得る。追加として、３１４において、ＷＬＡＮ回路１０４は、解放メッセージ１４２をＬＴＥ回路１０６へ送信し得る。解放メッセージ１４２を受信した後、ＬＴＥ回路１０６は、図１の基地局１２２によって提供されるＬＴＥ−ＵネットワークなどのＬＴＥネットワークを介して、データを送るかまたは受信し得る。ステップ３１２はステップ３１４の前に行われるものとして説明されるが、他の実装形態では、ステップ３１２がステップ３１４と並行して実行されてよく、またはステップ３１４がステップ３１２の前に実行されてよい。
【００５８】
[0065]図４を参照すると、ＷＬＡＮ回路とＬＴＥ回路との間で少なくとも１つのアンテナを共有する方法４００の第３の態様のラダー図が示される。方法４００は、少なくとも１つのアンテナを共有するように構成されるＷＬＡＮ回路とＬＴＥ回路とを含むワイヤレスデバイスによって実行され得る。特定の実装形態では、方法４００は、図１のＷＬＡＮ回路１０４とＬＴＥ回路１０６とを含むワイヤレスデバイス１０２によって実行される。
【００５９】
[0066]最初に、ＬＴＥ回路１０６は、少なくとも１つのアンテナ１１０の制御を有し得、少なくとも１つのアンテナ１１０を使用してＬＴＥネットワークを介してデータを送るかまたは受信し得る。たとえば、ＬＴＥ回路１０６は、図１の基地局１２２によって提供されるＬＴＥ−Ｕネットワークを介してデータを送るかまたは受信し得る。少なくとも１つのアンテナ１１０にアクセスする動作が実行のためにスケジュールされているとＷＬＡＮ回路１０４が決定すると、４０２において、ＷＬＡＮ回路１０４は、要求１３０などの要求をＬＴＥ回路１０６へ送信する。要求１３０は、クリティカリティビット１３２を含み、持続時間１３４を示す。持続時間１３４は、要求１３０に対応する動作が完了まで実行するのにかかる時間の推定持続時間を示す。図４において、クリティカリティビット１３２は、要求１３０がクリティカル動作に対応しないことを示す第２の値を有する。たとえば、要求１３０がクリティカル動作に対応しないとき、クリティカリティビット１３２は０に等しくてよい。他の実装形態では、クリティカリティビット１３２は、要求１３０がクリティカル動作に対応しないことを示すための異なる値を有してよい。
【００６０】
[0067]クリティカリティビット１３２を有する要求１３０を受信することに応答して、ＬＴＥ回路１０６は、要求１３０を許可すべきかどうかを決定し得る。たとえば、ＬＴＥ回路１０６は、要求１３０を許可すべきかどうかを持続時間１３４に基づいて決定し得る。ＬＴＥ回路１０６は、持続時間１３４がＬＴＥ回路１０６においてスケジュールされている次の動作までの推定持続時間に等しいかまたはそれを上回るとき、要求１３０を許可すべきでないと決定し得る。ＬＴＥ回路１０６は、ＬＴＥ回路１０６における不活動の期間中に（たとえば、次にスケジュールされている動作の前に）完了され得ない、ＷＬＡＮ回路１０４からの要求を許可しないように構成され得る。図４に示す例では、持続時間１３４は、推定持続時間に等しいかまたはそれを上回る。したがって、４０４において、ＬＴＥ回路１０６は、要求１３０を許可すべきでないと決定する。４０６において、要求１３０が許可されないことを示すために、ＬＴＥ回路１０６は、応答１４０をＷＬＡＮ回路１０４へ送信する。図４において、応答１４０は否定応答（ＮＡＣＫ）である。ＮＡＣＫは、要求１３０がＬＴＥ回路１０６によって許可されなかったことをＷＬＡＮ回路１０４に示す。ＮＡＣＫを送信した後、ＬＴＥ回路１０６は、少なくとも１つのアンテナ１１０の制御を保持する。
【００６１】
[0068]ＮＡＣＫを受信することに応答して、ＷＬＡＮ回路１０４は、少なくとも１つのアンテナ１１０へのアクセスを求める別の要求を生成すべきと決定し得る。たとえば、４０８において、ＷＬＡＮ回路１０４は、第２の要求をＬＴＥ回路１０６へ送信し得る。第２の要求は、要求１３０と同様にして持続時間１３４を示す。追加として、第２の要求の中に含まれるクリティカリティビット１３２は、（第２の要求がクリティカル動作に対応することを示す）第１の値を有する。要求１３０と比較して第２の要求におけるクリティカリティビット１３２の値を変更することによって、ＷＬＡＮ回路１０４は、ＬＴＥ回路１０６が第２の要求を許可することを確実にし得る。第２の要求を受信することに応答して、４１０において、ＬＴＥ回路１０６は、第２の要求を許可すべきと決定し得る。たとえば、ＬＴＥ回路１０６は、第２の要求のクリティカリティビット１３２が第１の値を有することに基づいて、第２の応答を許可すべきと決定し得る。第２の要求を許可すべきと決定した後、４１２において、ＬＴＥ回路１０６は、その少なくとも１つのアンテナ１１０の制御を解放し得る。追加として、４１４において、ＬＴＥ回路１０６は、第２の応答をＷＬＡＮ回路１０４へ送信し得る。第２の応答は、ＡＣＫを含んでよくまたはそれに相当し得る。ステップ４１２はステップ４１４の前に行われるものとして説明されるが、他の実装形態では、ステップ４１２がステップ４１４と並行して実行されてよく、またはステップ４１４がステップ４１２の前に実行されてよい。
【００６２】
[0069]４１６において、ＷＬＡＮ回路１０４は、少なくとも１つのアンテナ１１０を使用して動作を実行し得る。たとえば、ＷＬＡＮ回路１０４は、少なくとも１つのアンテナ１１０を使用してＷＬＡＮ（たとえば、ＡＰ１２０によって提供されるＷＬＡＮ）を介してデータを送ることまたは受信することによって、図１を参照しながら説明した動作のうちの１つを実行し得る。ワイヤレスデバイス１０２がＷＬＡＮを介したいかなる他のワイヤレスデバイスとの関連状態になくても、動作は実行されてよい。動作の実行が完了した後、４１８において、ＷＬＡＮ回路１０４は、少なくとも１つのアンテナ１１０の制御を解放し得る。追加として、４２０において、ＷＬＡＮ回路１０４は、解放メッセージ１４２をＬＴＥ回路１０６へ送信し得る。ステップ４１８はステップ４２０の前に行われるものとして説明されるが、他の実装形態では、ステップ４１８がステップ４２０と並行して実行されてよく、またはステップ４２０がステップ４１８の前に実行されてよい。解放メッセージ１４２を受信した後、ＬＴＥ回路１０６は、図１の基地局１２２によって提供されるＬＴＥ−ＵネットワークなどのＬＴＥネットワークを介して、データを送るかまたは受信し得る。
【００６３】
[0070]図５を参照すると、ＷＬＡＮ回路とＬＴＥ回路との間で少なくとも１つのアンテナを共有する方法５００の第４の態様のラダー図が示される。方法５００は、少なくとも１つのアンテナを共有するように構成されるＷＬＡＮ回路とＬＴＥ回路とを含むワイヤレスデバイスによって実行され得る。特定の実装形態では、方法５００は、図１のＷＬＡＮ回路１０４とＬＴＥ回路１０６とを含むワイヤレスデバイス１０２によって実行される。
【００６４】
[0071]最初に、ＬＴＥ回路１０６は、少なくとも１つのアンテナ１１０の制御を有し得、少なくとも１つのアンテナ１１０を使用してＬＴＥネットワークを介してデータを送るかまたは受信し得る。たとえば、ＬＴＥ回路１０６は、図１の基地局１２２によって提供されるＬＴＥ−Ｕネットワークを介してデータを送るかまたは受信し得る。少なくとも１つのアンテナ１１０にアクセスする動作が実行のためにスケジュールされているとＷＬＡＮ回路１０４が決定すると、５０２において、ＷＬＡＮ回路１０４は、要求１３０などの要求をＬＴＥ回路１０６へ送信する。要求１３０は、クリティカリティビット１３２を含み、持続時間１３４を示す。持続時間１３４は、要求１３０に対応する動作が完了まで実行するのにかかる時間の推定持続時間を示す。図５において、クリティカリティビット１３２は、要求１３０がクリティカル動作に対応しないことを示す第２の値を有する。たとえば、要求１３０がクリティカル動作に対応しないとき、クリティカリティビット１３２は０に等しくてよい。他の実装形態では、クリティカリティビット１３２は、要求１３０がクリティカル動作に対応しないことを示すための異なる値を有してよい。
【００６５】
[0072]クリティカリティビット１３２を有する要求１３０を受信することに応答して、ＬＴＥ回路１０６は、要求１３０を許可すべきかどうかを決定し得る。たとえば、ＬＴＥ回路１０６は、要求１３０を許可すべきかどうかを持続時間１３４に基づいて決定し得る。ＬＴＥ回路１０６は、持続時間１３４がＬＴＥ回路１０６においてスケジュールされている次の動作までの推定持続時間に等しいかまたはそれを上回るとき、要求１３０を許可すべきでないと決定し得る。ＬＴＥ回路１０６は、ＬＴＥ回路１０６における不活動の期間中に（たとえば、次にスケジュールされている動作の前に）完了され得ない、ＷＬＡＮ回路１０４からの要求を許可しないように構成され得る。図５に示す例では、持続時間１３４は、推定持続時間に等しいかまたはそれを上回る。したがって、５０４において、ＬＴＥ回路１０６は、要求１３０を許可すべきでないと決定する。５０６において、要求１３０が許可されないことを示すために、ＬＴＥ回路１０６は、応答１４０をＷＬＡＮ回路１０４へ送信する。図４において、応答１４０は否定応答（ＮＡＣＫ）である。ＮＡＣＫは、要求１３０がＬＴＥ回路１０６によって許可されなかったことをＷＬＡＮ回路１０４に示す。ＮＡＣＫを送信した後、ＬＴＥ回路１０６は、少なくとも１つのアンテナ１１０の制御を保持する。
【００６６】
[0073]ＮＡＣＫを受信することに応答して、ＷＬＡＮ回路１０４は、少なくとも１つのアンテナ１１０へのアクセスを求める別の要求を生成すべきと決定し得る。たとえば、５０８において、ＷＬＡＮ回路１０４は、第２の要求をＬＴＥ回路１０６へ送信し得る。第２の要求は、要求１３０と同様にして持続時間１３４を示す。図４とは対照的に、図５に示す例では、第２の要求の中に含まれるクリティカリティビット１３２は、（第２の要求がクリティカル動作に対応しないことを示す）第２の値を有する。第２の要求のクリティカリティビット１３２が第２の値を有するので、第２の要求は、ＬＴＥ回路１０６によって許可されることが保証されない。第２の要求を受信することに応答して、５１０において、ＬＴＥ回路１０６は、第２の要求を許可すべきでないと決定し得る。たとえば、ＬＴＥ回路１０６は、持続時間１３４がＬＴＥ回路１０６において次にスケジュールされている動作までの推定持続時間に等しいかまたはそれを上回るとき、第２の応答を許可すべきでないと決定し得る。第２の要求を許可すべきでないと決定した後、５１２において、ＬＴＥ回路１０６は、第２の応答をＷＬＡＮ回路１０４へ送信し得る。第２の応答は、ＮＡＣＫを含んでよくまたはそれに相当し得る。５１４において、ＷＬＡＮ回路１０４は、ＮＡＣＫを受信し得、エラー条件を生成し得る（または、エラー状態に入り得る）。エラー条件を生成する（または、エラー状態に入る）ことは、ＬＴＥ回路１０６における不活動期間よりも長い持続時間を有する非クリティカル動作を実行することをアプリケーションが要求していることを示し得る。より短い動作を実行すること、動作のクリティカリティを変更すること、または他の動作などの、エラー回復動作が実行されてよい。
【００６７】
[0074]図６を参照すると、ＷＬＡＮ回路とＬＴＥ回路との間で少なくとも１つのアンテナ共有する方法６００の第５の態様のラダー図が示される。方法６００は、少なくとも１つのアンテナを共有するように構成されるＷＬＡＮ回路とＬＴＥ回路とを含むワイヤレスデバイスによって実行され得る。特定の実装形態では、方法６００は、図１のＷＬＡＮ回路１０４とＬＴＥ回路１０６とを含むワイヤレスデバイス１０２によって実行される。
【００６８】
[0075]最初に、ＬＴＥ回路１０６は、少なくとも１つのアンテナ１１０の制御を有し得、少なくとも１つのアンテナ１１０を使用してＬＴＥネットワークを介してデータを送るかまたは受信し得る。たとえば、ＬＴＥ回路１０６は、図１の基地局１２２によって提供されるＬＴＥ−Ｕネットワークを介してデータを送るかまたは受信し得る。少なくとも１つのアンテナ１１０にアクセスする動作が周期的な実行のためにスケジュールされているとＷＬＡＮ回路１０４が決定すると、６０２において、ＷＬＡＮ回路１０４は、要求１３０などの要求をＬＴＥ回路１０６へ送信する。要求１３０は、クリティカリティビット１３２と、持続時間１３４と、カウント値１３６とを含む。クリティカリティビット１３２は、要求１３０がクリティカル動作に対応することを示す第１の値を有する。たとえば、要求１３０がクリティカル動作に対応するとき、クリティカリティビット１３２は１に等しくてよい。他の実装形態では、クリティカリティビット１３２は、要求１３０がクリティカル動作に対応することを示すための異なる値を有してよい。持続時間１３４は、要求１３０に対応する動作が完了まで実行するのにかかる時間の推定持続時間を示す。カウント値１３６は、動作の実行の周期性を示す。たとえば、カウント値１３６は、少なくとも１つのアンテナ１１０の制御が解放されて動作の各実行を可能にするまでの時間の量を示し得る。
【００６９】
[0076]第１の値を有するクリティカリティビット１３２を含む要求１３０を受信することに応答して、６０４において、ＬＴＥ回路１０６は、要求１３０を許可すべきと決定し得る。たとえば、ＬＴＥ回路１０６は、クリティカリティビット１３２が（要求１３０がクリティカル要求に対応することを示す）第１の値を有することに基づいて、要求１３０を許可すべきと決定し得る。追加として、６０６において、ＬＴＥ回路１０６は、少なくとも１つのアンテナ１１０の制御を解放し、タイマーを開始する。タイマーは、少なくとも１つのアンテナ１１０の制御の周期的な解放をカウント値１３６に基づいて可能にするために開始され得る。６０８において、要求１３０の許可を示すために、ＬＴＥ回路１０６は、応答１４０をＷＬＡＮ回路１０４へ送信する。図６において、応答１４０は肯定応答（ＡＣＫ）である。ＡＣＫは、要求１３０がＬＴＥ回路１０６によって許可されたことをＷＬＡＮ回路１０４に示す。ステップ６０６はステップ６０８の前に行われるものとして説明されるが、他の実装形態では、ステップ６０６がステップ６０８と並行して実行されてよく、またはステップ６０８がステップ６０６の前に実行されてよい。
【００７０】
[0077]６１０において、ＷＬＡＮ回路１０４は、少なくとも１つのアンテナ１１０を使用して動作を実行し得る。たとえば、ＷＬＡＮ回路１０４は、少なくとも１つのアンテナ１１０を使用してＷＬＡＮ（たとえば、ＡＰ１２０によって提供されるＷＬＡＮ）を介してデータを送ることまたは受信することによって、図１を参照しながら説明した動作のうちの１つを実行し得る。ワイヤレスデバイス１０２がＷＬＡＮを介したいかなる他のワイヤレスデバイスとの関連状態になくても、動作は実行されてよい。動作の実行が完了した後、６１２において、ＷＬＡＮ回路１０４は、少なくとも１つのアンテナ１１０の制御を解放し得る。追加として、６１４において、ＷＬＡＮ回路１０４は、解放メッセージ１４２をＬＴＥ回路１０６へ送信し得る。ステップ６１２はステップ６１４の前に行われるものとして説明されるが、他の実装形態では、ステップ６１２がステップ６１４と並行して実行されてよく、またはステップ６１４がステップ６１２の前に実行されてよい。解放メッセージ１４２を受信した後、ＬＴＥ回路１０６は、図１の基地局１２２によって提供されるＬＴＥ−ＵネットワークなどのＬＴＥネットワークを介して、データを送るかまたは受信し得る。
【００７１】
[0078]６１６において、タイマーはカウント値１３６に到達し得る。たとえば、タイマーの値はカウント値１３６に等しくてよい。タイマーがカウント値１３６に到達することに応答して、６１８において、ＬＴＥ回路１０６は、少なくとも１つのアンテナ１１０の制御を解放し得る。追加として、６１８において、ＬＴＥ回路１０６はタイマーをリセットし得る。特定の実装形態では、ＬＴＥ回路１０６は、ＷＬＡＮ回路１０４とＬＴＥ回路１０６との間で交換されるメッセージの量を減らすために、少なくとも１つのアンテナ１１０の制御が解放されているときにＡＣＫを送信しない。代替実装形態では、ＬＴＥ回路１０６は、少なくとも１つのアンテナ１１０の制御を解放する前に、ＡＣＫをＷＬＡＮ回路１０４へ送信する。ＷＬＡＮ回路１０４は、動作（たとえば、動作の別の反復）を実行し得、動作の実行が完了した後、ＷＬＡＮ回路１０４は、少なくとも１つのアンテナ１１０の制御を解放し得る。ＬＴＥ回路１０６は、終了メッセージ１４４がＷＬＡＮ回路１０４から受信されるまで、少なくとも１つのアンテナ１１０の制御を要求１３０に基づいて周期的に解放することを継続してよい。終了メッセージ１４４を受信することに応答して、ＬＴＥ回路１０６は、タイマーの動作を終了してよく、したがって、少なくとも１つのアンテナ１１０の制御の周期的な解放を終了してよい。
【００７２】
[0079]図７を参照すると、ＷＬＡＮ回路とＬＴＥ回路との間で少なくとも１つのアンテナが共有されるワイヤレス通信の方法７００を示すフローチャート。方法７００は、ＷＬＡＮ回路と、ＬＴＥ回路と、少なくとも１つのアンテナとを含むワイヤレスデバイスによって実行され得る。特定の実装形態では、方法７００は、図１のワイヤレスデバイス１０２のＬＴＥ回路１０６によって実行される。
【００７３】
[0080]方法７００は、７０２において、ロングタームエボリューション（ＬＴＥ）回路がワイヤレスデバイスの少なくとも１つのアンテナの制御を有する間、ワイヤレスデバイスのワイヤレスローカルエリアネットワーク（ＷＬＡＮ）回路からワイヤレスデバイスのＬＴＥ回路において、少なくとも１つのアンテナの制御を求める要求を受信することを含む。少なくとも１つのアンテナを使用するＬＴＥ回路による通信は、第１の周波数帯域に対応し得、少なくとも１つのアンテナを使用するＷＬＡＮ回路による通信は、第２の周波数帯域に対応し得、第１の周波数帯域は、少なくとも部分的に第２の周波数帯域に重複し得る。たとえば、図１を参照すると、ＬＴＥ回路１０６は、ＬＴＥ回路１０６が少なくとも１つのアンテナ１１０の制御を有する間、ＷＬＡＮ回路１０４から要求１３０を受信し得る。ＬＴＥ回路１０６は、第１の周波数帯域（たとえば、５１５０メガヘルツ（ＭＨｚ）〜５８５０ＭＨｚなどの、約５ＧＨｚと約６ＧＨｚとの間の周波数を含み得る「５ＧＨｚ無認可スペクトル」と呼ばれる周波数帯域内の１つまたは複数のサブバンド）を介して通信し得る。たとえば、ＬＴＥ回路１０６は、１つまたは複数のＬＴＥ−Ｕサブバンドを介してワイヤレス通信を実行するように構成されたＬＴＥ−Ｕｎｌｉｃｅｎｓｅｄ（ＬＴＥ−Ｕ）回路を含み得る。ＷＬＡＮ回路１０４は、少なくとも部分的に第１の周波数帯域に重複する第２の周波数帯域（たとえば、５ＧＨｚチャネル）を介してワイヤレス通信を実行し得る。別の実装形態では、第１の周波数帯域および第２の周波数帯域は重複しない。
【００７４】
[0081]方法７００は、７０２において、要求の中に含まれるデータに基づいて、ＬＴＥ回路からＷＬＡＮ回路へ応答を送ることを含む。たとえば、図１を参照すると、ＬＴＥ回路１０６は、要求１３０の中に含まれるデータに基づいて、応答１４０をＷＬＡＮ回路１０４へ送り得る。
【００７５】
[0082]特定の実装形態では、方法７００は、ＬＴＥ回路が少なくとも１つのアンテナの制御を有することに応答して（in response to the LTE circuitry having control of the at least one antenna）、少なくとも１つのアンテナを介してデータ送信を送ること、データ送信を受信すること、またはそれらの組合せを含み得る。方法７００はまた、ＷＬＡＮ回路が少なくとも１つのアンテナの制御を有することに応答して、少なくとも１つのアンテナを介してデータ送信を送ることおよび受信することを控えることを含む。たとえば、ＬＴＥ回路１０６が少なくとも１つのアンテナ１１０の制御を有することに応答して、ＬＴＥ回路１０６は、少なくとも１つのアンテナ１１０を使用して、データ送信をＬＴＥネットワークへ送り得、および／またはＬＴＥネットワークからデータ送信を受信し得る。ＷＬＡＮ回路１０４が少なくとも１つのアンテナ１１０の制御を有することに応答して、ＬＴＥ回路１０６は、少なくとも１つのアンテナ１１０を介してデータ送信を送ることおよび受信することを控えてよい。特定の実装形態では、少なくとも１つのアンテナの制御を解放することは、ＬＴＥ回路から少なくとも１つのアンテナ１１０へのデータ送信を無効化することを含む。
【００７６】
[0083]特定の実装形態では、データは、要求に対応する動作がクリティカルであるかどうかを示すクリティカリティビットを含み得、データは、動作の実行の持続時間を示し得る。たとえば、要求１３０は、クリティカリティビット１３２を含み得、持続時間１３４を表す値を示し得る。クリティカリティビットが第１の値を有する場合、応答は肯定応答（ＡＣＫ）を含み得る。追加として、方法７００は、クリティカリティビットが第１の値を有することに応答して、ＬＴＥ回路において少なくとも１つのアンテナの制御を解放することを含み得る。たとえば、要求１３０がクリティカル動作に対応することを示す第１の値をクリティカリティビット１３２が有する場合、応答１４０は、ＡＣＫを含み得、ＬＴＥ回路１０６は、少なくとも１つのアンテナ１１０の制御を解放し得る。さらに例示のために、ＬＴＥ回路１０６は、図２のステップ２０６において少なくとも１つのアンテナ１１０の制御を解放し得、ＬＴＥ回路１０６は、ステップ２０８においてＡＣＫをＷＬＡＮ回路１０４へ送り得る。ＬＴＥ回路において少なくとも１つのアンテナの制御を解放することは、スイッチに少なくとも１つのアンテナをＷＬＡＮ回路に結合させることを含み得る。代替として、ＬＴＥ回路において少なくとも１つのアンテナの制御を解放することは、ＬＴＥ回路に関連するアプリケーションが少なくとも１つのアンテナを介してデータを送ることまたは受信することを防止することを含み得る。追加として、方法７００は、ＷＬＡＮ回路における動作の実行が完了した後、ＷＬＡＮ回路からＬＴＥ回路において解放メッセージを受信することと、解放メッセージを受信した後、ＬＴＥ回路において少なくとも１つのアンテナの制御を回復することとをさらに含み得る。たとえば、ＬＴＥ回路１０６は、ＷＬＡＮ回路１０４における動作の実行が完了すると、ＷＬＡＮ回路１０４から解放メッセージ１４２を受信し得る。図２を参照しながら説明したように、ＷＬＡＮ回路１０４は、少なくとも１つのアンテナ１１０の制御を解放し得、ＬＴＥ回路１０６は、少なくとも１つのアンテナ１１０の制御を回復し得る。特定の実装形態では、少なくとも１つのアンテナの制御を回復することは、スイッチに少なくとも１つのアンテナをＬＴＥ回路に結合させることを含み得る。たとえば、ＬＴＥ回路１０６は、スイッチに少なくとも１つのアンテナ１１０をＬＴＥ回路１０６に結合させ得る。別の例として、ＬＴＥ回路１０６の中に含まれるプロセッサは、少なくとも１つのアンテナ１１０を使用してデータを送ることおよび／または受信することを始めてよい。別の特定の実装形態では、解放メッセージは、データによって示される持続時間に対応する時間期間の満了の前に受信され得る。たとえば、動作は、持続時間１３４によって示されるよりも短い時間の中で実行され得、解放メッセージ１４２は、持続時間１３４によって示されるよりも短い時間の中でＬＴＥ回路１０６において受信され得る。
【００７７】
[0084]特定の実装形態では、方法７００は、クリティカリティビットが第２の値を有するとき、ＬＴＥ回路において少なくとも１つのアンテナの制御を解放すべきかどうかを持続時間に基づいて決定することをさらに含む。たとえば、ＬＴＥ回路１０６は、クリティカリティビット１３２が（対応する動作がクリティカルでないことを示す）第２の値を有する場合、少なくとも１つのアンテナ１１０の制御を解放すべきかどうかを持続時間１３４に基づいて決定する。追加として、方法７００は、クリティカリティビットが第２の値を有すること、および持続時間がＬＴＥ回路において次に予想される（expected）動作の前の時間の推定持続時間を上回らないことに応答して、ＬＴＥ回路において少なくとも１つのアンテナの制御を解放することを含み得る。たとえば、ＬＴＥ回路１０６は、図３のステップ３０４においてその少なくとも１つのアンテナ１１０の制御を解放すべきと決定し得る。応答は、肯定応答（ＡＣＫ）を含み得る。たとえば、ＬＴＥ回路１０６が少なくとも１つのアンテナ１１０の制御を解放すべきと決定すると、応答１４０はＡＣＫを含み得、ＬＴＥ回路１０６は、図３のステップ３０６においてその少なくとも１つのアンテナ１１０の制御を解放し得る。方法７００は、ＷＬＡＮ回路における動作の実行が完了した後、ＷＬＡＮ回路からＬＴＥ回路において解放メッセージを受信することと、解放メッセージを受信した後、ＬＴＥ回路において少なくとも１つのアンテナの制御を回復することと、ＬＴＥ回路において少なくとも１つのアンテナの制御を回復することに応答して、少なくとも１つのアンテナを介してＬＴＥ回路において少なくとも１つのデータ送信を送ることまたは受信することとをさらに含み得る。たとえば、ＷＬＡＮ回路１０４は、図３のステップ３１２において少なくとも１つのアンテナ１１０の制御を解放し、ステップ３１４において解放メッセージ１４２をＬＴＥ回路１０６へ送り得、ＷＬＡＮ回路１０４が少なくとも１つのアンテナ１１０の制御を解放した後、ＬＴＥ回路１０６は、少なくとも１つのアンテナ１１０の制御を回復し得、少なくとも１つのアンテナ１１０を使用してデータを送るかまたは受信し得る。
【００７８】
[0085]代替として、方法７００は、クリティカリティビットが第２の値を有すること、および持続時間値がＬＴＥ回路において次に予想される動作の前の時間の推定持続時間を上回ることに応答して、ＬＴＥ回路において少なくとも１つのアンテナの制御を保持することを含み得る。たとえば、ＬＴＥ回路１０６は、持続時間１３４がＬＴＥ回路１０６において次にスケジュールされている動作の前の時間の持続時間を上回るかまたはそれに等しいことに基づいて、図４のステップ４０４において少なくとも１つのアンテナ１１０を解放すべきでないと決定し得る。応答は、否定応答（ＮＡＣＫ）を含み得る。たとえば、ＬＴＥ回路１０６が要求１３０を許可すべきでないと決定すると、ＬＴＥ回路１０６は、図４のステップ４０６において説明したように応答１４０としてＮＡＣＫを送り得る。追加として、方法７００は、ＷＬＡＮ回路からＬＴＥ回路において、少なくとも１つのアンテナの制御を求める第２の要求を受信することを含み得る。方法７００はまた、第２の要求の中に含まれる第２のデータに基づいて、ＬＴＥ回路からＷＬＡＮ回路へ第２の応答を送ることを含み得る。たとえば、ＷＬＡＮ回路１０４は、図４のステップ４０８において第２の要求をＬＴＥ回路１０６へ送り得、ＬＴＥ回路１０６は、第２の要求に応答して第２の応答をＷＬＡＮ回路１０４へ送り得る。いくつかの実装形態では、方法７００は、第２のデータの中に含まれる第２の持続時間値に基づいて、ＬＴＥ回路において少なくとも１つのアンテナの制御を解放することをさらに含み、ここで、第２の応答は第２の肯定応答（ＡＣＫ）を含む。たとえば、ＬＴＥ回路１０６は、図４のステップ４１０において少なくとも１つのアンテナ１１０の制御を解放すべきと決定し得、ステップ４１２において少なくとも１つのアンテナ１１０の制御を解放し得る。ＬＴＥ回路１０６は、図４のステップ４１４において第２の要求に応答してＡＣＫをＷＬＡＮ回路１０４へ送り得る。方法７００は、第２のデータの中に含まれる第２の持続時間値に基づいて、ＬＴＥ回路において少なくとも１つのアンテナの制御を保持することをさらに含み得る。第２の応答は、第２の否定応答（ＮＡＣＫ）を含み得る。いくつかの実装形態では、第２のＮＡＣＫは、ＷＬＡＮ回路においてエラーをトリガする。たとえば、ＬＴＥ回路１０６は、図５のステップ５１０において第２の要求に基づいて少なくとも１つのアンテナ１１０の制御を保持すべきと決定し得、ＬＴＥ回路１０６は、ステップ５１２において第２のＮＡＣＫをＷＬＡＮ回路１０４へ送信し得る。第２のＮＡＣＫを受信することは、図５のステップ５１４においてＷＬＡＮ回路１０４においてエラーをトリガし得る。
【００７９】
[0086]特定の実装形態では、（要求の中に含まれる）データは、要求の周期性を示すカウント値を含み、データは、要求に対応する動作がクリティカルであるかどうかを示すクリティカリティビットを含み、データは、動作の実行の持続時間を示す持続時間値を含む。たとえば、要求１３０は、クリティカリティビット１３２と、持続時間１３４と、カウント値１３６とを含み得る。カウント値１３６は、要求１３０の周期性を示し得る。クリティカリティビットが第１の値を有する場合、応答は肯定応答（ＡＣＫ）を含み得る。追加として、方法７００は、クリティカリティビットが第１の値を有することに応答して、ＬＴＥ回路において少なくとも１つのアンテナの制御を解放することをさらに含み得る。たとえば、クリティカリティビット１３２が（対応する動作がクリティカルであることを示す）第１の値を有する場合、ＬＴＥ回路１０６は、図６のステップ６０６において少なくとも１つのアンテナ１１０の制御を解放し得る。ＬＴＥ回路１０６はまた、図６のステップ６０８において応答１４０としてＡＣＫをＷＬＡＮ回路１０４へ送信し得る。追加として、方法７００は、要求を受信することに応答してタイマーを保持することと、ＷＬＡＮ回路における動作の実行が完了した後、ＷＬＡＮ回路からＬＴＥ回路において解放メッセージを受信することと、解放メッセージを受信することに応答して、ＬＴＥ回路において少なくとも１つのアンテナの制御を回復することと、タイマーがカウント値に一致する値に到達することに応答して、ＬＴＥ回路において少なくとも１つのアンテナの制御を解放することと、および、タイマーをリセットすることとを含み得る。たとえば、ＬＴＥ回路１０６は、図６のステップ６０６においてタイマーを開始し得、ＷＬＡＮ回路１０４は、ステップ６１４において解放メッセージ１４２をＬＴＥ回路１０６へ送り得る。図６のステップ６１６においてタイマーがカウント値１３６に到達した後、ＬＴＥ回路１０６は、ステップ６１８において少なくとも１つのアンテナ１１０の制御を解放するおよびタイマーをリセットし得る。方法７００はまた、ＷＬＡＮ回路からＬＴＥ回路において終了メッセージ受信することと、終了メッセージを受信することに応答してタイマーの動作を終了することとを含み得る。たとえば、もはや周期的な動作がＷＬＡＮ回路１０４において実行のためにスケジュールされていない場合、ＷＬＡＮ回路１０４は、終了メッセージ１４４をＬＴＥ回路１０６へ送ってよく、ＬＴＥ回路１０６は、終了メッセージ１４４を受信することに基づいてタイマーの動作を終了してよい。
【００８０】
[0087]特定の実装形態では、要求が受信されるとき、ＬＴＥ回路は、有効化されたモードで動作しており、ＷＬＡＮ回路は、有効化されたモードで動作しており、ワイヤレスデバイスは、ＷＬＡＮ回路を介したいかなる他のワイヤレスデバイスとの関連状態にもない。たとえば、図１〜図６を参照しながら説明したメッセージベース共有は、ワイヤレスデバイス１０２のＬＴＥモードおよびＷＬＡＮモードが両方とも有効化されているとき、ならびにワイヤレスデバイス１０２がＷＬＡＮを介したいかなる他のワイヤレスデバイスとの関連状態にもない（たとえば、ＷＬＡＮを介したいかなる他のワイヤレスデバイスに接続されていない）ときに実行され得る。別の特定の実装形態では、ＬＴＥ回路およびＷＬＡＮ回路は、ワイヤレスデバイスのモデム内に統合されてよい。たとえば、ワイヤレスデバイス１０２は、ＷＬＡＮ回路１０４とＬＴＥ回路１０６とを含むモデムを含んでよい。
【００８１】
[0088]特定の実装形態では、要求は、ＷＬＡＮ回路およびＬＴＥ回路に結合されたインターフェースを介して受信され得る。たとえば、ＷＬＡＮ回路１０４は、インターフェース１０８を介して要求１３０をＬＴＥ回路１０６へ送信してよい。インターフェース１０８は、ワイヤレス共存インターフェース２（ＷＣＩ−２）または共有メモリインターフェースを含んでよい。
【００８２】
[0089]図７の方法７００は、ＷＬＡＮ回路とＬＴＥ回路との間での少なくとも１つのアンテナの共有を可能にし得る。方法７００は、時分割方式を使用してアンテナを共有するよりも大きいフレキシビリティを伴う共有を可能にし得る。
【００８３】
[0090]図８を参照すると、ワイヤレス通信デバイス８００の特定の例示的な実装形態のブロック図が示される。デバイス８００は、メモリ８３２に結合されたデジタル信号プロセッサ（ＤＳＰ）などのプロセッサ８１０を含む。例示的な実装形態では、デバイス８００またはそれの構成要素は、図１のワイヤレスデバイス１０２またはそれの構成要素に相当し得る。
【００８４】
[0091]メモリ８３２は、コンピュータ可読命令またはプロセッサ可読命令などの命令８６８（たとえば、実行可能命令）を含む。命令８６８は、プロセッサ８１０などのコンピュータによって実行可能な１つまたは複数の命令を含み得る。プロセッサ８１０は、メモリ８３２（たとえば、非一時的コンピュータ可読媒体）に記憶されたソフトウェア（たとえば、１つまたは複数の命令８６８のプログラム）を実行するように構成され得る。追加または代替として、プロセッサ８１０は、ワイヤレスインターフェース８４０（たとえば、米国電気電子学会（ＩＥＥＥ）８０２．１１準拠インターフェース）のメモリに記憶された１つまたは複数の命令を実施するように構成され得る。たとえば、ワイヤレスインターフェース８４０は、１つまたは複数のＩＥＥＥ８０２．１１規格と１つまたは複数のＮＡＮ規格とを含む、１つまたは複数のワイヤレス通信規格に従って動作するように構成され得る。特定の実装形態では、プロセッサ８１０は、図７の方法７００に従って動作するように構成され得る。
【００８５】
[0092]デバイス８００はまた、ワイヤレスローカルエリアネットワーク（ＷＬＡＮ）回路８７０とロングタームエボリューション（ＬＴＥ）回路８７２とを含み得る。ＷＬＡＮ回路８７０は、ＷＬＡＮとの通信を実行するように構成され得、ＬＴＥ回路８７２は、ＬＴＥネットワークとの通信を実行するように構成され得る。特定の実装形態では、ＬＴＥネットワークは、５ＧＨｚ無認可スペクトルを介して（または、図１を参照しながら説明したように、それのサブバンドを介して）動作を実行するＬＴＥ−Ｕネットワークであってよい。ＷＬＡＮ回路８７０およびＬＴＥ回路８７２は各々、プロセッサもしくはコントローラ、トランシーバ、受信機、送信機、アンテナインターフェース回路、スイッチ、スイッチ制御回路、デュプレクサ、送信フィルタ、受信フィルタ、整合回路、ミキサ、増幅器、発振器、局部発振器（ＬＯ）生成器、位相ロックループ（ＰＬＬ）、他の回路、またはそれらの組合せを含み得る。特定の実装形態では、ＷＬＡＮ回路８７０は、図１のＷＬＡＮ回路１０４を含んでよくまたは図１のＷＬＡＮ回路１０４に相当し得、ＬＴＥ回路８７２は、図１のＬＴＥ回路１０６を含んでよくまたは図１のＬＴＥ回路１０６に相当し得る。ワイヤレスインターフェース８４０は、ＷＬＡＮ回路８７０およびＬＴＥ回路８７２を介してプロセッサ８１０に結合され得、ワイヤレスインターフェース８４０は、アンテナ８４２に結合され得る。たとえば、ワイヤレスインターフェース８４０は、アンテナ８４２を介して受信されたワイヤレスデータがプロセッサ８１０に提供され得るように、トランシーバ８４６を介してアンテナ８４２に結合され得る。いくつかの実装形態では、アンテナ８４２は、ＷＬＡＮ回路８７０とＬＴＥ回路８７２との間で共有される単一のアンテナであってよい。単一のアンテナとして図示されるが、他の実装形態では、アンテナ８４２は、ＷＬＡＮ回路８７０とＬＴＥ回路８７２との間で共有されるアンテナのセットを含んでよくまたはＷＬＡＮ回路８７０とＬＴＥ回路８７２との間で共有されるアンテナのセットに相当し得る。いくつかの実装形態では、アンテナ８４２は、複数のアンテナに相当し、多入力多出力（ＭＩＭＯ）通信の実行を可能にする。ワイヤレスインターフェース８４０およびトランシーバ８４６とは別個のものとして図示されているが、いくつかの実装形態では、ワイヤレスインターフェース８４０およびトランシーバ８４６の一部（または、その全体）は、ＷＬＡＮ回路８７０およびＬＴＥ回路８７２の中に含まれてよい。一実装形態では、デバイス８００などのワイヤレスデバイスは、プロセッサ８１０などのプロセッサによって実行されたとき、ＬＴＥ回路が少なくとも１つのアンテナの制御を有する間、ＷＬＡＮ回路８７０などのＷＬＡＮ回路からワイヤレスデバイスのＬＴＥ回路８７２などのＬＴＥ回路において、アンテナ８４２などの少なくとも１つのアンテナの制御を求める要求をプロセッサに受信させる命令を記憶する、非一時的コンピュータ可読媒体を含み得る。少なくとも１つのアンテナを使用するＬＴＥ回路による通信は、第１の周波数帯域に対応し得、少なくとも１つのアンテナを使用するＷＬＡＮ回路による通信は、第２の周波数帯域に対応し得、第１の周波数帯域は、少なくとも部分的に第２の周波数帯域に重複し得る。そのような実装形態では、ワイヤレスデバイスは、追加として、プロセッサによって実行されたとき、要求の中に含まれるデータに基づいてＬＴＥ回路からＷＬＡＮ回路へ応答をプロセッサに送らせる命令を記憶する、非一時的コンピュータ可読媒体を含み得る。
【００８６】
[0093]図８はまた、プロセッサ８１０およびディスプレイ８２８に結合され得るディスプレイコントローラ８２６を示す。コーダ／デコーダ（コーデック）８３４も、プロセッサ８１０に結合され得る。スピーカー８３６およびマイクロフォン８３８が、コーデック８３４に結合され得る。いくつかの実装形態では、プロセッサ８１０、ディスプレイコントローラ８２６、メモリ８３２、コーデック８３４、ＷＬＡＮ回路８７０、ＬＴＥ回路８７２、ワイヤレスインターフェース８４０、およびトランシーバ８４６は、システムインパッケージまたはシステムオンチップデバイス８２２の中に含まれる。いくつかの実装形態では、入力デバイス８３０および電源８４４が、システムオンチップデバイス８２２に結合される。その上、特定の態様では、図８に示すように、ディスプレイ８２８、入力デバイス８３０、スピーカー８３６、マイクロフォン８３８、アンテナ８４２、および電源８４４は、システムオンチップデバイス８２２の外部にある。ただし、ディスプレイ８２８、入力デバイス８３０、スピーカー８３６、マイクロフォン８３８、アンテナ８４２、および電源８４４の各々は、インターフェースまたはコントローラなどの、システムオンチップデバイス８２２の構成要素に結合され得る。
【００８７】
[0094]特定の実装形態では、メモリ８３２は、プロセッサ８１０などのプロセッサによって実行されたとき、ＬＴＥ回路８７２がワイヤレスデバイスの少なくとも１つのアンテナ（たとえば、アンテナ８４２）の制御を有する間、デバイス８００のＷＬＡＮ回路８７０からデバイス８００のＬＴＥ回路８７２において、少なくとも１つのアンテナの制御を求める要求をプロセッサ８１０に受信させる命令８６８などの命令を記憶する、非一時的コンピュータ可読媒体を含み得る。ＬＴＥ回路８７２およびＷＬＡＮ回路８７０は、共通周波数帯域を介して少なくとも１つのアンテナを使用して通信するように構成され得る。たとえば、共通周波数帯域は、少なくとも１つのアンテナ８４２を使用する間、ＬＴＥ回路８７２およびＷＬＡＮ回路８７０による通信に関連し得る。命令８６８は、さらに、要求の中に含まれるデータに基づいてＬＴＥ回路８７２からＷＬＡＮ回路８７０へ応答をプロセッサに送らせ得る。特定の実装形態では、共通周波数帯域は、５ＧＨｚチャネルを含んでよく、ＬＴＥ回路８７２は、５ＧＨｚチャネルを介してワイヤレス通信を実行するように構成されたＬＴＥ−Ｕ回路を含んでよい。
【００８８】
[0095]説明する態様とともに、装置は、少なくとも１つのアンテナを介し第１の周波数帯域を介してロングタームエボリューション（ＬＴＥ）通信を実行するための手段を含む。ＬＴＥ通信を実行するための手段は、図１のＬＴＥ回路１０６、図８のＬＴＥ回路８７２、プロセッサ８１０、ワイヤレスインターフェース８４０、ならびに／またはトランシーバ８４６、少なくとも１つのアンテナおよび第１の周波数帯域を介してＬＴＥ通信を実行するように構成された１つもしくは複数の他の構造もしくは回路、あるいはそれらの任意の組合せを含んでよくまたはそれに相当し得る。特定の実装形態では、ＬＴＥ通信を実行するための手段は、５ＧＨｚチャネルを介してＬＴＥ−Ｕｎｌｉｃｅｎｓｅｄ（ＬＴＥ−Ｕ）通信を実行するように構成され得る。
【００８９】
[0096]装置は、少なくとも１つのアンテナを介し第２の周波数帯域を介してワイヤレスローカルエリアネットワーク（ＷＬＡＮ）通信を実行するための手段を含み、第１の周波数帯域は、少なくとも部分的に第２の周波数帯域に重複する。ＷＬＡＮ通信を実行するための手段は、図１のＷＬＡＮ回路１０４、図８のＷＬＡＮ回路８７０、プロセッサ８１０、ワイヤレスインターフェース８４０、ならびに／またはトランシーバ８４６、少なくとも１つのアンテナおよび第２の周波数帯域を介してＷＬＡＮ通信を実行するように構成された１つもしくは複数の他の構造もしくは回路、あるいはそれらの任意の組合せを含んでよくまたはそれに相当し得る。
【００９０】
[0097]装置は、ＬＴＥ通信を実行するための手段が少なくとも１つのアンテナの制御を有する間、ＷＬＡＮ通信を実行するための手段から受信された要求の中に含まれるデータに基づいて、ＷＬＡＮ通信を実行するための手段へ応答を送るための手段をさらに含む。要求は、少なくとも１つのアンテナの制御を求めるものである。送る手段は、図１のＬＴＥ回路１０６の中に含まれるインターフェースおよび／もしくはプロセッサ（または、コントローラ）、図８のＬＴＥ回路８７２の中に含まれるインターフェースおよび／もしくはプロセッサ（または、コントローラ）、プロセッサ８１０、ワイヤレスインターフェース８４０、ならびに／またはトランシーバ８４６、ＷＬＡＮ通信を実行するための手段へ応答を送るように構成された１つもしくは複数の他の構造もしくは回路、あるいはそれらの任意の組合せを含んでよくまたはそれに相当し得る。特定の実装形態では、装置は、ＷＬＡＮ通信を実行するための手段とＬＴＥ通信を実行するための手段との間でメッセージを共有するための手段をさらに含む。共有するための手段は、図１のインターフェース１０８、図８のＷＬＡＮ回路８７０およびＬＴＥ回路８７２に結合されたインターフェースまたはバス、ＷＬＡＮ通信を実行するための手段とＬＴＥ通信を実行するための手段との間でメッセージを共有するように構成された１つまたは複数の他の構造または回路、あるいはそれらの任意の組合せを含み得る。
【００９１】
[0098]開示する態様のうちの１つまたは複数は、通信デバイス、携帯情報端末（ＰＤＡ）、モバイル電話、セルラーフォン、ナビゲーションデバイス、コンピュータ、ポータブルコンピュータ、デスクトップコンピュータ、セットトップボックス、エンターテイメントユニット、固定ロケーションデータユニット、モバイルロケーションデータユニット、モニタ、コンピュータモニタ、テレビジョン、チューナ、ラジオ、衛星ラジオ、音楽プレーヤ、デジタル音楽プレーヤ、ポータブル音楽プレーヤ、ビデオプレーヤ、デジタルビデオプレーヤ、デジタルビデオディスク（ＤＶＤ）プレーヤ、ポータブルデジタルビデオプレーヤ、車両、車両内コンポーネント、またはデータもしくはコンピュータ命令を記憶するかもしくは取り出す任意の他のデバイス、あるいはそれらの任意の組合せを含み得る、デバイス８００などのシステムまたは装置において実施され得る。
【００９２】
[0099]図１〜図８のうちの１つまたは複数は、本開示の教示によるシステム、装置、および／または方法を示し得るが、本開示は、これらの示されたシステム、装置、および／または方法に限定されない。本明細書で図示または説明した図１〜図８のいずれかの１つまたは複数の機能または構成要素は、図１〜図８のうちの別のものの１つまたは複数の他の部分と組み合わされ得る。したがって、本明細書で説明した単一の実装形態は、限定的として解釈されるべきではなく、本開示の実装形態は、本開示の逸脱する形態の教示なしに適切に組み合わされ得る。
【００９３】
[0100]本明細書で開示する実装形態に関して説明した様々な例示的な論理ブロック、構成、モジュール、回路、およびアルゴリズムステップが、電子ハードウェア、プロセッサによって実行されるコンピュータソフトウェア、または両方の組合せとして実装され得ることを、当業者はさらに諒解されよう。様々な例示的な構成要素、ブロック、構成、モジュール、回路、およびステップが、概してそれらの機能に関して上記で説明された。そのような機能がハードウェアとして実装されるのか、それともプロセッサ実行可能命令として実装されるのかは、特定の適用例および全体的なシステムに課された設計制約に依存する。当業者は説明した機能を特定の適用例ごとに様々な方法で実装し得るが、そのような実装決定は、本開示の範囲からの逸脱を引き起こすものと解釈されるべきでない。
【００９４】
[0101]本明細書の開示に関して説明した方法またはアルゴリズムのステップは、直接ハードウェアで実装されてよく、プロセッサによって実行されるソフトウェアモジュールで実装されてよく、またはその２つの組合せで実装されてもよい。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ（登録商標））、レジスタ、ハードディスク、リムーバブルディスク、コンパクトディスク読取り専用メモリ（ＣＤ−ＲＯＭ）、または当技術分野で知られている任意の他の形態の非一時的記憶媒体の中に存在し得る。例示的な記憶媒体は、プロセッサが記憶媒体から情報を読み取るとともに記憶媒体に情報を書き込むことができるようにプロセッサに結合される。代替として、記憶媒体はプロセッサと一体化されてもよい。プロセッサおよび記憶媒体は、特定用途向け集積回路（ＡＳＩＣ）の中に存在してよい。ＡＳＩＣは、コンピューティングデバイスまたはユーザ端末の中に存在してよい。代替として、プロセッサおよび記憶媒体は、コンピューティングデバイスまたはユーザ端末の中で個別の構成要素として存在してもよい。
【００９５】
[0102]前の説明は、開示する実装形態を当業者が製作または使用することを可能にするために与えられる。これらの実装形態への様々な修正は当業者には容易に明らかになり、本明細書で定義した原理は本開示の範囲から逸脱することなく他の実装形態に適用され得る。したがって、本開示は、本明細書に示した実装形態に限定されるものではなく、以下の特許請求の範囲によって定義されるような原理および新規の特徴に一致する可能な最も広い範囲を与えられるべきである。
以下に本願の出願当初の特許請求の範囲に記載された発明を付記する。
［Ｃ１］
ワイヤレス通信の方法であって、
ロングタームエボリューション（ＬＴＥ）回路がワイヤレスデバイスの少なくとも１つのアンテナの制御を有する間、前記ワイヤレスデバイスのワイヤレスローカルエリアネットワーク（ＷＬＡＮ）回路から前記ワイヤレスデバイスの前記ＬＴＥ回路において、前記少なくとも１つのアンテナの制御を求める要求を受信することと、ここにおいて、前記少なくとも１つのアンテナを使用する前記ＬＴＥ回路による通信が、第１の周波数帯域に対応し、ここにおいて、前記少なくとも１つのアンテナを使用する前記ＷＬＡＮ回路による通信が、第２の周波数帯域に対応し、ここにおいて、前記第１の周波数帯域が、少なくとも部分的に前記第２の周波数帯域に重複する、
前記要求に含まれるデータに基づいて、前記ＬＴＥ回路から前記ＷＬＡＮ回路へ応答を送ることと
を備える方法。
［Ｃ２］
前記データが、前記要求に対応する動作がクリティカルであるかどうかを示すクリティカリティビットを含み、ここにおいて、前記データが、前記動作の実行の持続時間を示す持続時間値を含む、Ｃ１に記載の方法。
［Ｃ３］
前記要求に含まれる前記データに基づいて前記応答を送ることが、前記クリティカリティビットが第１の値を有することに応答して肯定応答（ＡＣＫ）を送ることを含む、Ｃ２に記載の方法。
［Ｃ４］
前記クリティカリティビットが前記第１の値を有することに応答して、前記ＬＴＥ回路において前記少なくとも１つのアンテナの制御を解放することをさらに備える、Ｃ３に記載の方法。
［Ｃ５］
前記少なくとも１つのアンテナの制御を解放することが、スイッチに前記ＷＬＡＮ回路を前記少なくとも１つのアンテナに結合させることを含む、Ｃ４に記載の方法。
［Ｃ６］
前記少なくとも１つのアンテナの制御を解放することが、前記ＬＴＥ回路から前記少なくとも１つのアンテナへのデータ送信を無効化することを含む、Ｃ４に記載の方法。
［Ｃ７］
前記ＷＬＡＮ回路における前記動作の実行が完了した後、前記ＷＬＡＮ回路から前記ＬＴＥ回路において解放メッセージを受信することと、
前記解放メッセージを受信した後、前記ＬＴＥ回路において前記少なくとも１つのアンテナの制御を回復することと、
前記ＬＴＥ回路において前記少なくとも１つのアンテナの制御を回復することに応答して、前記少なくとも１つのアンテナを介して前記ＬＴＥ回路において、少なくとも１つのデータ送信を送ることまたは受信することと
をさらに備える、Ｃ４に記載の方法。
［Ｃ８］
前記クリティカリティビットが第２の値を有すること、および前記持続時間値が前記ＬＴＥ回路において次に予想される動作の前の時間の推定持続時間を上回らないことに応答して、前記ＬＴＥ回路において前記少なくとも１つのアンテナの制御を解放することをさらに備える、Ｃ２に記載の方法。
［Ｃ９］
前記応答が肯定応答（ＡＣＫ）を備える、Ｃ８に記載の方法。
［Ｃ１０］
前記クリティカリティビットが第２の値を有すること、および前記持続時間値が前記ＬＴＥ回路において次に予想される動作の前の時間の推定持続時間を上回ることに応答して、前記ＬＴＥ回路において前記少なくとも１つのアンテナの制御を保持することをさらに備える、Ｃ２に記載の方法。
［Ｃ１１］
前記応答が否定応答（ＮＡＣＫ）を備える、Ｃ１０に記載の方法。
［Ｃ１２］
前記ＷＬＡＮ回路から前記ＬＴＥ回路において、前記少なくとも１つのアンテナの制御を求める第２の要求を受信することと、
前記第２の要求に含まれる第２のデータに基づいて、前記ＬＴＥ回路から前記ＷＬＡＮ回路へ第２の応答を送ることと
をさらに備える、Ｃ１０に記載の方法。
［Ｃ１３］
前記第２のデータに含まれる第２の持続時間値に基づいて、前記ＬＴＥ回路において前記少なくとも１つのアンテナの制御を解放することをさらに備え、ここにおいて、前記第２の応答が第２の肯定応答（ＡＣＫ）を備える、
Ｃ１２に記載の方法。
［Ｃ１４］
前記第２のデータに含まれる第２の持続時間値に基づいて、前記ＬＴＥ回路において前記少なくとも１つのアンテナの制御を保持することをさらに備え、ここにおいて、前記第２の応答が第２の否定応答（ＮＡＣＫ）を備える、Ｃ１２に記載の方法。
［Ｃ１５］
前記第２の周波数帯域が５ギガヘルツ（ＧＨｚ）チャネルを備える、Ｃ１に記載の方法。
［Ｃ１６］
前記データが、前記要求の周期性を示すカウント値を含み、ここにおいて、前記データが、前記要求に対応する動作がクリティカルであるかどうかを示すクリティカリティビットを含み、ここにおいて、前記データが、前記動作の実行の持続時間を示す持続時間値を含む、Ｃ１に記載の方法。
［Ｃ１７］
前記要求を受信することに応答してタイマーを保持することと、
前記ＷＬＡＮ回路における前記動作の実行が完了した後、前記ＷＬＡＮ回路から解放メッセージを受信することと、
前記解放メッセージを受信することに応答して、前記少なくとも１つのアンテナの制御を回復することと、
前記タイマーが前記カウント値に一致する値に到達することに応答して、前記少なくとも１つのアンテナの制御を解放することおよび前記タイマーをリセットすることと
をさらに備える、Ｃ１６に記載の方法。
［Ｃ１８］
前記ＷＬＡＮ回路から前記ＬＴＥ回路において終了メッセージを受信することと、
前記終了メッセージに応答して前記タイマーの動作を終了することと
をさらに備える、Ｃ１７に記載の方法。
［Ｃ１９］
装置であって、
少なくとも１つのアンテナと、
前記少なくとも１つのアンテナに結合されるように構成されおよび第１の周波数帯域を介して通信するように構成されたロングタームエボリューション（ＬＴＥ）回路と、
前記少なくとも１つのアンテナに結合されおよび第２の周波数帯域を介して通信するように構成されたワイヤレスローカルエリアネットワーク（ＷＬＡＮ）回路と、ここにおいて、前記第１の周波数帯域が、少なくとも部分的に前記第２の周波数帯域に重複する、
前記ＬＴＥ回路と前記ＷＬＡＮ回路との間の通信を可能にするように構成されたインターフェースと、ここにおいて、前記通信が、前記ＷＬＡＮ回路からの前記少なくとも１つのアンテナの制御を求める要求に含まれるデータに基づく、前記ＬＴＥ回路から前記ＷＬＡＮ回路への応答を含む、
を備える装置。
［Ｃ２０］
前記ＬＴＥ回路が、５ＧＨｚチャネルを介してワイヤレス通信を実行するように構成されたＬＴＥ−Ｕｎｌｉｃｅｎｓｅｄ（ＬＴＥ−Ｕ）回路を備える、Ｃ１９に記載の装置。
［Ｃ２１］
前記ＬＴＥ回路は、前記要求に対応する動作がクリティカルであることを示す第１の値を前記要求のクリティカリティビットが有することに応答して、前記ＬＴＥ回路において前記少なくとも１つのアンテナの制御を解放するようにさらに構成される、Ｃ１９に記載の装置。
［Ｃ２２］
前記少なくとも１つのアンテナを前記ＷＬＡＮ回路または前記ＬＴＥ回路に選択的に結合するように構成されたスイッチをさらに備える、Ｃ１９に記載の装置。
［Ｃ２３］
前記ＬＴＥ回路が、前記スイッチに前記少なくとも１つのアンテナを前記ＷＬＡＮ回路に結合させることによって、前記少なくとも１つのアンテナの制御を解放するように構成される、Ｃ２２に記載の装置。
［Ｃ２４］
前記ＬＴＥ回路が、前記スイッチに前記少なくとも１つのアンテナを前記ＬＴＥ回路に結合させることによって、前記少なくとも１つのアンテナの制御を回復するように構成される、Ｃ２２に記載の装置。
［Ｃ２５］
前記インターフェースが、共有メモリインターフェース、ワイヤレス共存インターフェース２（ＷＣＩ−２）、汎用入出力（ＧＰＩＯ）インターフェース、またはバスを備える、Ｃ１９に記載の装置。
［Ｃ２６］
装置であって、
少なくとも１つのアンテナを介しておよび第１の周波数帯域を介してロングタームエボリューション（ＬＴＥ）通信を実行するための手段と、
前記少なくとも１つのアンテナを介しておよび第２の周波数帯域を介してワイヤレスローカルエリアネットワーク（ＷＬＡＮ）通信を実行するための手段と、ここにおいて、前記第１の周波数帯域が、少なくとも部分的に前記第２の周波数帯域に重複する、
ＬＴＥ通信を実行するための前記手段が前記少なくとも１つのアンテナの制御を有する間、ＷＬＡＮ通信を実行するための前記手段から受信された要求に含まれるデータに基づいて、ＷＬＡＮ通信を実行するための前記手段へ応答を送るための手段と、ここにおいて、前記要求が、前記少なくとも１つのアンテナの制御を求めるものである、
を備える装置。
［Ｃ２７］
前記第２の周波数帯域が５ギガヘルツ（ＧＨｚ）チャネルを備え、ここにおいて、ＬＴＥ通信を実行するための前記手段が、前記５ＧＨｚチャネルの少なくとも一部分を介してＬＴＥ−Ｕｎｌｉｃｅｎｓｅｄ（ＬＴＥ−Ｕ）通信を実行するように構成される、Ｃ２６に記載の装置。
［Ｃ２８］
ＷＬＡＮ通信を実行するための前記手段とＬＴＥ通信を実行するための前記手段との間でメッセージを共有するための手段をさらに備える、Ｃ２６に記載の装置。
［Ｃ２９］
命令を記憶する非一時的コンピュータ可読媒体であって、前記命令は、プロセッサによって実行されたとき、前記プロセッサに、
ロングタームエボリューション（ＬＴＥ）回路がワイヤレスデバイスの少なくとも１つのアンテナの制御を有する間、前記ワイヤレスデバイスのワイヤレスローカルエリアネットワーク（ＷＬＡＮ）回路から前記ワイヤレスデバイスの前記ＬＴＥ回路において、前記少なくとも１つのアンテナの制御を求める要求を受信することと、ここにおいて、前記少なくとも１つのアンテナを使用する前記ＬＴＥ回路による通信が、第１の周波数帯域に対応し、ここにおいて、前記少なくとも１つのアンテナを使用する前記ＷＬＡＮ回路による通信が、第２の周波数帯域に対応し、ここにおいて、前記第１の周波数帯域が、少なくとも部分的に前記第２の周波数帯域に重複する、
前記要求に含まれるデータに基づいて、前記ＬＴＥ回路から前記ＷＬＡＮ回路へ応答を送ることとを行わせる、
非一時的コンピュータ可読媒体。
［Ｃ３０］
前記第２の周波数帯域が５ギガヘルツ（ＧＨｚ）チャネルを備え、ここにおいて、前記ＬＴＥ回路が、前記５ＧＨｚチャネルの少なくとも一部分を介してワイヤレス通信を実行するように構成されたＬＴＥ−Ｕｎｌｉｃｅｎｓｅｄ（ＬＴＥ−Ｕ）回路を備える、Ｃ２９に記載の非一時的コンピュータ可読媒体。
【図１】
0006382471.tif 000002
【図２】
0006382471.tif 000003
【図３】
0006382471.tif 000004
【図４】
0006382471.tif 000005
【図５】
0006382471.tif 000006
【図６】
0006382471.tif 000007
【図７】
0006382471.tif 000008
【図８】
0006382471.tif 000009